(57)【要約】硬質表面洗浄組成物、及び短い乾燥時間の組成物で硬質表面を洗浄する方法が提供される。硬質表面洗浄組成物は、組成物全体の重量に対し、０．０２重量％〜０．０７重量％のアミンオキシドと、０．１５重量％〜１．５０重量％の、６．５〜７．０のＨＬＢを有するグリコールエーテルと、０．１０重量％〜０．５０重量％の、６．０〜６．５のＨＬＢを有するグリコールエーテルと、少なくとも９７重量％の水とを含む。
2019531386.tif 000002
【特許請求の範囲】
【請求項１】
硬質表面洗浄組成物であって、前記組成物全体の重量に対し、
０．０２重量％〜０．０７重量％のアミンオキシドと、
０．１５重量％〜１．５０重量％、より好ましくは０．２重量％〜１．０重量％の、６．５〜７．０のＨＬＢを有するグリコールエーテルと、
０．１０重量％〜０．５０重量％、より好ましくは０．２重量％〜０．４５重量％の、６．０〜６．５のＨＬＢを有するグリコールエーテルと、
少なくとも９７重量％の水と、を含む、組成物。
【請求項２】
６．５〜７．０のＨＬＢを有する前記グリコールエーテルが、プロピレングリコールｎ−ブチルエーテル、ジプロピレングリコールｎ−ブチルエーテル、及びこれらの組み合わせからなる群から選択される、請求項１に記載の組成物。
【請求項３】
６．０〜６．５のＨＬＢを有する前記グリコールエーテルが、エチレングリコールモノヘキシルエーテル、エチレングリコールフェニルエーテル、及びこれらの組み合わせからなる群から選択される、請求項１又は２に記載の組成物。
【請求項４】
０．５重量％未満のエタノールを含む、請求項１〜３のいずれか一項に記載の組成物。
【請求項５】
前記組成物が、０．００１重量％〜約０．０１５重量％のエトキシル化アルコキシル化非イオン性界面活性剤、又は０．００１重量％〜約０．０１５重量％のコポリマーを更に含み、前記コポリマーが、
ｅ．６０〜９９重量％の、式ＩＩＩの少なくとも１つのモノエチレン性不飽和ポリアルキレンオキシドモノマー（モノマーＡ）と、
【化１】
2019531386.tif 000015
（式中、変数は以下の意味を有する：
Ｙが−Ｏ−である場合、Ｘは、−ＣＨ２−又は−ＣＯ−であり、Ｙが−ＮＨ−である場合、Ｘは、−ＣＯ−であり、
Ｙは、−Ｏ−又は−ＮＨ−であり、
Ｒ１は、水素又はメチルであり、
Ｒ２は、同一か又は異なるＣ２〜Ｃ６−アルキレンラジカルであり、
Ｒ３は、Ｈ又はＣ１〜Ｃ４アルキルであり、
ｎは、５〜１００の整数である。）
ｆ．式ＩＶａ〜ＩＶｄのモノマーのうちの少なくとも１つからなる群から選択される、１〜４０重量％の少なくとも１つの四級化窒素含有モノマー（モノマーＢ）と、
【化２】
2019531386.tif 000016
（式中、変数は以下の意味を有する：
Ｒは、Ｃ１〜Ｃ４アルキル又はベンジルであり、
Ｒ’は、水素又はメチルであり、
Ｙは、−Ｏ−又は−ＮＨ−であり、
Ａは、Ｃ１〜Ｃ６アルキレンであり、
Ｘ−は、ハロゲン化物、Ｃ１〜Ｃ４−アルキルサルフェート、Ｃ１〜Ｃ４−アルキルスルホネート、及びＣ１〜Ｃ４−アルキルカーボネートである。）
ｇ．０〜１５重量％の、少なくとも１つのアニオン性モノエチレン性不飽和モノマー（モノマーＣ）と、
ｈ．０〜３０重量％の、少なくとも１つの他の非イオン性モノエチレン性不飽和モノマー（モノマーＤ）と、を含み、
モノマーＣが存在する場合、モノマーＢとモノマーＣとのモル比が１より大きく、前記コポリマーが、２０，０００ｇ／モル〜５００，０００ｇ／モルの重量平均分子量（Ｍｗ）を有する、請求項１〜４のいずれか一項に記載の組成物。
【請求項６】
前記組成物が、Ｃ６〜Ｃ１８アルキルトリメチルアンモニウムクロリド、Ｃ６〜Ｃ１８ジアルキルジメチルアンモニウムクロリド、及びこれらの混合物からなる群から選択される、約０．０１重量％〜約０．０８重量％の四級化合物を更に含む、請求項１〜５のいずれか一項に記載の組成物。
【請求項７】
短い乾燥時間で硬質表面を洗浄する方法であって、
前記硬質表面を洗浄組成物で湿潤する工程であって、前記洗浄組成物が、
０．０２重量％〜０．０７重量％のアミンオキシド、
０．１５重量％〜１．５０重量％、より好ましくは０．２重量％〜１．０重量％の、６．５〜７．０のＨＬＢを有するグリコールエーテル、
０．１０重量％〜０．５０重量％、より好ましくは０．２重量％〜０．４５重量％の、６．０〜６．５のＨＬＢを有するグリコールエーテルを含む、工程と、
乾燥洗浄ワイプ又はパッドを用いて前記硬質表面から前記洗浄組成物を除去する工程と、を含む、方法。
【請求項８】
６．５〜７．０のＨＬＢを有する前記グリコールエーテルが、プロピレングリコールｎ−ブチルエーテル、ジプロピレングリコールｎ−ブチルエーテル、及びこれらの組み合わせからなる群から選択される、請求項７に記載の方法。
【請求項９】
６．０〜６．５のＨＬＢを有する前記グリコールエーテルが、エチレングリコールモノヘキシルエーテル、エチレングリコールフェニルエーテル、及びこれらの組み合わせからなる群から選択される、請求項７又は８に記載の方法。
【請求項１０】
０．５重量％未満のエタノールを含む、請求項７〜９のいずれか一項に記載の方法。
【請求項１１】
前記組成物が、０．００１重量％〜約０．０１５重量％のエトキシル化アルコキシル化非イオン性界面活性剤、又は０．００１重量％〜約０．０１５重量％のコポリマーを更に含み、前記コポリマーが、
ｅ．６０〜９９重量％の、式ＩＩＩの少なくとも１つのモノエチレン性不飽和ポリアルキレンオキシドモノマー（モノマーＡ）と、
【化３】
2019531386.tif 000017
（式中、変数は以下の意味を有する：
Ｙが−Ｏ−である場合、Ｘは、−ＣＨ２−又は−ＣＯ−であり、Ｙが−ＮＨ−である場合、Ｘは、−ＣＯ−であり、
Ｙは、−Ｏ−又は−ＮＨ−であり、
Ｒ１は、水素又はメチルであり、
Ｒ２は、同一か又は異なるＣ２〜Ｃ６−アルキレンラジカルであり、
Ｒ３は、Ｈ又はＣ１〜Ｃ４アルキルであり、
ｎは、５〜１００の整数である。）
ｆ．式ＩＶａ〜ＩＶｄのモノマーのうちの少なくとも１つからなる群から選択される、１〜４０重量％の少なくとも１つの四級化窒素含有モノマー（モノマーＢ）と、
【化４】
2019531386.tif 000018
（式中、変数は以下の意味を有する：
Ｒは、Ｃ１〜Ｃ４アルキル又はベンジルであり、
Ｒ’は、水素又はメチルであり、
Ｙは、−Ｏ−又は−ＮＨ−であり、
Ａは、Ｃ１〜Ｃ６アルキレンであり、
Ｘ−は、ハロゲン化物、Ｃ１〜Ｃ４−アルキルサルフェート、Ｃ１〜Ｃ４−アルキルスルホネート、及びＣ１〜Ｃ４−アルキルカーボネートである。）
ｇ．０〜１５重量％の、少なくとも１つのアニオン性モノエチレン性不飽和モノマー（モノマーＣ）と、
ｈ．０〜３０重量％の、少なくとも１つの他の非イオン性モノエチレン性不飽和モノマー（モノマーＤ）と、を含み、
モノマーＣが存在する場合、モノマーＢとモノマーＣとのモル比が１より大きく、前記コポリマーが、２０，０００ｇ／モル〜５００，０００ｇ／モルの重量平均分子量（Ｍｗ）を有する、請求項７〜１０のいずれか一項に記載の方法。
【請求項１２】
前記組成物が、Ｃ６〜Ｃ１８アルキルトリメチルアンモニウムクロリド、Ｃ６〜Ｃ１８ジアルキルジメチルアンモニウムクロリド、及びこれらの混合物からなる群から選択される、約０．０１重量％〜約０．０８重量％の四級化合物を更に含む、請求項７〜１１のいずれか一項に記載の方法。
【請求項１３】
ハンドルと、
プラスチックヘッドと、
前記プラスチックヘッドと取り外し可能に接続可能な洗浄パッドと、
前記ハンドルと接続されるか、又は前記ハンドルから分離される容器と、
前記容器内に配置されている洗浄組成物と、を含む、洗浄用具であって、前記洗浄組成物が、前記組成物全体の重量に対し、０．０２重量％〜０．０７重量％のアミンオキシドと、０．１５重量％〜１．５０重量％の、６．５〜７．０のＨＬＢを有するグリコールエーテルと、０．１０重量％〜０．５０重量％の、６．０〜６．５のＨＬＢを有するグリコールエーテルと、少なくとも９７重量％の水と、を含む、洗浄用具。
【請求項１４】
６．５〜７．０のＨＬＢを有する前記グリコールエーテルが、プロピレングリコールｎ−ブチルエーテル、ジプロピレングリコールｎ−ブチルエーテル、及びこれらの組み合わせからなる群から選択され、且つ６．０〜６．５のＨＬＢを有する前記グリコールエーテルが、エチレングリコールモノヘキシルエーテル、エチレングリコールフェニルエーテル、及びこれらの組み合わせからなる群から選択される、請求項１３に記載の用具。
【請求項１５】
０．５重量％未満のエタノールを含む、請求項１３又は１４に記載の用具。
【発明の詳細な説明】
【技術分野】
【０００１】
本開示は、概して、硬質表面洗浄組成物、及び硬質表面上の洗浄組成物の乾燥時間を改善する方法に関する。
【背景技術】
【０００２】
硬質表面洗浄組成物は、硬質表面を洗浄及び処理するために使用される。好ましくは、硬質表面洗浄組成物は、「汎用」硬質表面洗浄組成物となるように配合される。すなわち、硬質表面洗浄組成物は、できるだけ多くの異なる種類の表面を洗浄するのに好適であるように配合される。しかしながら、従来、タイル、及びより繊細な表面、例えば、木材、ステンレス鋼、リノリウム、大理石などを効果的に洗浄する硬質表面洗浄組成物を配合することは、困難であった。特に汚れた床を洗浄するとき、光沢不良、及び表面が未だ十分に清潔ではないという印象の原因となる、フィルム及び筋の残渣が残る場合がある。加えて、希釈された硬質表面洗浄組成物で清掃されたかかる床は、滑りやすくなる傾向があり、その結果、転倒及び類似の事故の危険性が高まる。結果として、清潔感を改善するために、かかるフィルム及び筋を除去するために、時折真水を使用して床は再びすすがれる。更に、長い乾燥時間は、鋼鉄表面の斑点及び錆又は腐食若しくは膨潤した木材表面など、繊細な表面に損傷をもたらす可能性がある。
【発明の概要】
【発明が解決しようとする課題】
【０００３】
したがって、特に汚れた床の洗浄後でさえ改善された光沢を提供する組成物が、依然必要とされている。加えて、種々の表面を洗浄するのに好適であり、低減された乾燥時間を有する表面をもたらす硬質表面洗浄組成物が、依然として必要とされている。
【課題を解決するための手段】
【０００４】
「組み合わせ」
Ａ．硬質表面洗浄組成物であって、
組成物全体の重量に対し、０．０２重量％〜０．０７重量％のアミンオキシドと、
０．１５重量％〜１．５０重量％、より好ましくは０．２重量％〜１．０重量％の、６．５〜７．０のＨＬＢを有するグリコールエーテルと、
０．１０重量％〜０．５０重量％、より好ましくは０．２重量％〜０．４５重量％の、６．０〜６．５のＨＬＢを有するグリコールエーテルと、
少なくとも９７重量％の水と、を含む、組成物。
Ｂ．６．５〜７．０のＨＬＢを有するグリコールエーテルが、プロピレングリコールｎ−ブチルエーテル、ジプロピレングリコールｎ−ブチルエーテル、及びこれらの組み合わせからなる群から選択される、段落Ａに記載の組成物。
Ｃ．６．０〜６．５のＨＬＢを有するグリコールエーテルが、エチレングリコールモノヘキシルエーテル、エチレングリコールフェニルエーテル、及びこれらの組み合わせからなる群から選択される、段落Ａ又は段落Ｂに記載の組成物。
Ｄ．０．５重量％未満のエタノールを含む、段落Ａ〜Ｃのいずれか一段落に記載の組成物。
Ｅ．組成物が、０．００１重量％〜約０．０１５重量％のエトキシル化アルコキシ化非イオン性界面活性剤、又は０．００１重量％〜約０．０１５重量％のコポリマーを更に含み、コポリマーが、
ａ．６０〜９９重量％の、式ＩＩＩの少なくとも１つのモノエチレン性不飽和ポリアルキレンオキシドモノマー（モノマーＡ）と、
【０００５】
【化１】
2019531386.tif 000003
（式中、変数は以下の意味を有する：
Ｙが−Ｏ−である場合、Ｘは、−ＣＨ２−又は−ＣＯ−であり、
Ｙが−ＮＨ−である場合、Ｘは、−ＣＯ−であり、
Ｙは、−Ｏ−又は−ＮＨ−であり、
Ｒ１は、水素又はメチルであり、
Ｒ２は、同一か又は異なるＣ２〜Ｃ６−アルキレンラジカルであり、
Ｒ３は、Ｈ又はＣ１〜Ｃ４アルキルであり、
ｎは、５〜１００の整数である。）
ｂ．式ＩＶａ〜ＩＶｄのモノマーのうちの少なくとも１つからなる群から選択される、１〜４０重量％の少なくとも１つの四級化窒素含有モノマー（モノマーＢ）と、
【０００６】
【化２】
2019531386.tif 000004
（式中、変数は以下の意味を有する：
Ｒは、Ｃ１〜Ｃ４アルキル又はベンジルであり、
Ｒ’は、水素又はメチルであり、
Ｙは、−Ｏ−又は−ＮＨ−であり、
Ａは、Ｃ１〜Ｃ６アルキレンであり、
Ｘ−が、ハロゲン化物、Ｃ１〜Ｃ４−アルキルサルフェート、Ｃ１〜Ｃ４−アルキルスルホネート、及びＣ１〜Ｃ４−アルキルカーボネートである。）
ｃ．０〜１５重量％の、少なくとも１つのアニオン性モノエチレン性不飽和モノマー（モノマーＣ）と、
ｄ．０〜３０重量％の、少なくとも１つの他の非イオン性モノエチレン性不飽和モノマー（モノマーＤ）と、を含み、
モノマーＣが存在する場合、モノマーＢとモノマーＣとのモル比が１より大きく、コポリマーが、２０，０００ｇ／モル〜５００，０００ｇ／モルの重量平均分子量（Ｍｗ）を有する、段落Ａ〜Ｄのいずれか一段落に記載の組成物。
Ｆ．組成物が、Ｃ６〜Ｃ１８アルキルトリメチルアンモニウムクロリド、Ｃ６〜Ｃ１８ジアルキルジメチルアンモニウムクロリド、及びこれらの混合物からなる群から選択される、約０．０１重量％〜約０．０８重量％の四級化合物を更に含む、段落Ａ〜Ｅのいずれか一段落に記載の組成物。
Ｇ．短い乾燥時間で硬質表面を洗浄する方法であって、
硬質表面を洗浄組成物で湿潤する工程であって、洗浄組成物が、
０．０２重量％〜０．０７重量％のアミンオキシド、
０．１５重量％〜１．５０重量％、より好ましくは０．２重量％〜１．０重量％の、６．５〜７．０のＨＬＢを有するグリコールエーテル、
０．１０重量％〜０．５０重量％、より好ましくは０．２重量％〜０．４５重量％の、６．０〜６．５のＨＬＢを有するグリコールエーテルを含む、工程と、
乾燥洗浄ワイプ又はパッドを用いて硬質表面から洗浄組成物を除去する工程と、を含む、方法。
Ｈ．６．５〜７．０のＨＬＢを有するグリコールエーテルが、プロピレングリコールｎ−ブチルエーテル、ジプロピレングリコールｎ−ブチルエーテル、及びこれらの組み合わせからなる群から選択される、段落Ｇに記載の方法。
Ｉ．６．０〜６．５のＨＬＢを有するグリコールエーテルが、エチレングリコールモノヘキシルエーテル、エチレングリコールフェニルエーテル、及びこれらの組み合わせからなる群から選択される、段落Ｇ又は段落Ｈに記載の方法。
Ｊ．０．５重量％未満のエタノールを含む、段落Ｇ〜Ｉのいずれか一段落に記載の方法。
Ｋ．組成物が、０．００１重量％〜約０．０１５重量％のエトキシル化アルコキシ化非イオン性界面活性剤、又は０．００１重量％〜約０．０１５重量％のコポリマーを更に含み、コポリマーが、
ａ．６０〜９９重量％の、式ＩＩＩの少なくとも１つのモノエチレン性不飽和ポリアルキレンオキシドモノマー（モノマーＡ）と、
【０００７】
【化３】
2019531386.tif 000005
（式中、変数は以下の意味を有する：
Ｙが−Ｏ−である場合、Ｘは、−ＣＨ２−又は−ＣＯ−であり、
Ｙが−ＮＨ−である場合、Ｘは、−ＣＯ−であり、
Ｙは、−Ｏ−又は−ＮＨ−であり、
Ｒ１は、水素又はメチルであり、
Ｒ２は、同一か又は異なるＣ２〜Ｃ６−アルキレンラジカルであり、
Ｒ３は、Ｈ又はＣ１〜Ｃ４アルキルであり、
ｎは、５〜１００の整数である。）
ｂ．式ＩＶａ〜ＩＶｄのモノマーのうちの少なくとも１つからなる群から選択される、１〜４０重量％の少なくとも１つの四級化窒素含有モノマー（モノマーＢ）と、
【０００８】
【化４】
2019531386.tif 000006
（式中、変数は以下の意味を有する：
Ｒは、Ｃ１〜Ｃ４アルキル又はベンジルであり、
Ｒ’は、水素又はメチルであり、
Ｙは、−Ｏ−又は−ＮＨ−であり、
Ａは、Ｃ１〜Ｃ６アルキレンであり、
Ｘ−は、ハロゲン化物、Ｃ１〜Ｃ４−アルキルサルフェート、Ｃ１〜Ｃ４−アルキルスルホネート、及びＣ１〜Ｃ４−アルキルカーボネートである。）
ｃ．０〜１５重量％の、少なくとも１つのアニオン性モノエチレン性不飽和モノマー（モノマーＣ）と、
ｄ．０〜３０重量％の、少なくとも１つの他の非イオン性モノエチレン性不飽和モノマー（モノマーＤ）と、を含み、
モノマーＣが存在する場合、モノマーＢとモノマーＣとのモル比が１より大きく、コポリマーが、２０，０００ｇ／モル〜５００，０００ｇ／モルの重量平均分子量（Ｍｗ）を有する、段落Ｇ〜Ｊのいずれか一段落に記載の方法。
Ｌ．組成物が、Ｃ６〜Ｃ１８アルキルトリメチルアンモニウムクロリド、Ｃ６〜Ｃ１８ジアルキルジメチルアンモニウムクロリド、及びこれらの混合物からなる群から選択される、約０．０１重量％〜約０．０８重量％の四級化合物を更に含む、段落Ｇ〜Ｋのいずれか一段落に記載の方法。
Ｍ．
ハンドルと、
プラスチックヘッドと、
プラスチックヘッドと取り外し可能に接続可能な洗浄パッドと、
ハンドルと接続されるか、又はハンドルから分離される容器と、
容器内に配置されている洗浄組成物であって、組成物全体の重量に対し、０．０２重量％〜０．０７重量％のアミンオキシド、０．１５重量％〜１．５０重量％の、６．５〜７．０のＨＬＢを有するグリコールエーテル、０．１０重量％〜０．５０重量％の、６．０〜６．５のＨＬＢを有するグリコールエーテル、及び少なくとも９７重量％の水、を含む洗浄組成物と、を含む、洗浄用具。
Ｎ．６．５〜７．０のＨＬＢを有するグリコールエーテルが、プロピレングリコールｎ−ブチルエーテル、ジプロピレングリコールｎ−ブチルエーテル、及びこれらの組み合わせからなる群から選択され、且つ６．０〜６．５のＨＬＢを有するグリコールエーテルが、エチレングリコールモノヘキシルエーテル、エチレングリコールフェニルエーテル、及びこれらの組み合わせからなる群から選択される、段落Ｍに記載の用具。
Ｏ．０．５重量％未満のエタノールを含む、段落Ｍ又は段落Ｎに記載の用具。
【図面の簡単な説明】
【０００９】
【図１Ａ】部分的な切欠きで示されている、本発明に従った例示的な洗浄パッドの上面斜視図である。
【図１Ｂ】明確性のために、部分的な切り欠きで示され、１つの取り付けストリップが切り取られている、図１Ａの洗浄パッドの底面図である。
【図２】図１Ｂの線２−２に沿って取られた概略的な垂直断面図である。
【図３】本発明の洗浄パッドと共に使用可能な洗浄用具の斜視図であり、洗浄用具に取り外し可能に取り付けられる位置にある洗浄パッドを示している。
【発明を実施するための形態】
【００１０】
洗浄プロセス中、表面は、表面を湿潤するための溶液を塗布すること、表面上に溶液を広げること、洗浄基材への吸収を含み得る、表面から溶液を除去すること、及び床のような水平表面上では主に蒸発によって生じる、任意の残留溶液を乾燥させること、という４つの変化又はサイクルを受け得る。湿潤すること及び広げることは、流体と表面との界面の間で生じる表面改質によって制御される。これらの２つの現象は、共に表面の外観に悪影響を及ぼす斑点又はビーディング、及びフィルムの形成に大きな影響を有する。更に、乾燥サイクル中に、可視粒子が残された場合、蒸発によって、追加の斑点が引き起され得る。これらのサイクルの３つ全て、すなわち、湿潤すること、広げること、及び床から溶液を乾燥させることはまた、洗浄に利点を有するが、適切に対処されていない場合には、悪影響をもたらし得る。吸収サイクルは、洗浄溶液並びに洗浄溶液中に含有される可溶性及び不溶性材料を除去し、他のサイクルによってもたらされる斑点及びフィルム形成の悪影響を修復する機会を提供する。より迅速な乾燥時間のために重要である１つのパラメータは、乾燥サイクル中に残された残留洗浄溶液の前進接触角である。溶液の前進接触角は、溶液がどのように表面を湿潤し、表面上で広がるかを制御する。大きな前進接触角の溶液は、より広がり、湿潤し、蒸発及び乾燥がより容易であるより薄いフィルム又は層へと広がる傾向を有する一方で、小さな前進接触角の溶液は、適切に吸収又は除去されない場合、斑点をもたらし、乾燥をより困難にし得る。乾燥サイクル中、前進接触角は、表面から蒸発する前に、溶液が湿潤又は広がる程度を制御する。親水性の大きな前進接触角（１０°超、より好ましくは２０°超、最も好ましくは３０°超）の溶液は、より迅速な乾燥時間を提供することが見出された。理論に束縛されるものではないが、最良の乾燥時間及び光沢結果は、好ましくは、１０°超、より好ましくは２０°超、最も好ましくは３０°超の前進接触角を有する溶液で見出されると考えられる。
【００１１】
本明細書で定義するとき、ある成分を「本質的に含まない」とは、その成分が、対応するプレミックス又は組成物に故意に全く取り込まれないことを意味する。好ましくは、ある成分を「本質的に含まない」とは、その成分が、対応するプレミックス又は組成物中に全く存在しないが、微量な不純物として存在し得ることを意味する。
【００１２】
本明細書で使用するとき、「等方性」とは、透明な混合物が、視認できる濁り、相分離、及び／又は分散粒子をほとんど又は全く有さず、かつ均一の透明な外観を有することを意味する。
【００１３】
本明細書で定義するとき、「安定した」とは、米国特許出願第２００８／０２６３７８０（Ａ１）号に記載されるＦｌｏｃ  Ｆｏｒｍａｔｉｏｎ  Ｔｅｓｔを用いて測定されるとき、少なくとも約２週間、又は少なくとも４週間、又は約１ヶ月超、又は４ヶ月超の期間、２５℃に維持されたプレミックスに対して、可視的な相分離が観測されないことを意味する。
【００１４】
「低揮発性有機化合物硬質表面洗浄組成物」とは、本明細書において、例えば、低揮発性有機化合物（「ＶＯＣ」）の組成の最大０．５重量％のようなＶＯＣ含有量を有する最終製品を意味するが、香料は、最終製品の２重量％まで、この値から除外されることに留意されたい。
【００１５】
本明細書で使用される全てのパーセント、比率、及び割合は、別段の定めがない限り、プレミックスの重量パーセントである。全ての平均値は、別段の明示的な指示がない限り、プレミックスの「重量に対し」計算される。
【００１６】
全ての測定は、別段の定めがない限り、２５℃で実施される。
【００１７】
別段の記載がない限り、成分又は組成物の濃度は全て、これらの成分又は組成物の活性部分に関するものであり、かかる成分又は組成物の市販の供給源に存在し得る不純物、例えば、残留溶媒又は副生成物は除外される。
【００１８】
液体硬質表面洗浄組成物
「液体硬質表面洗浄組成物」とは、本明細書では、家庭、特に国内の家庭においてみられる硬質表面を洗浄するための液体組成物を意味する。洗浄される表面としては、セラミック、ビニル、無ワックスビニル、リノリウム、メラミン、ガラス、鋼鉄、キッチン作業面、任意のプラスチック、木材、プラスチック化木材、金属、又は任意の塗装若しくはワニス仕上げ若しくは封止処理された表面などのような異なる材料で作製された、キッチン及び浴室、例えば、床、壁、タイル、窓、食器棚、流し、シャワー、プラスチック化シャワーカーテン、洗面台、トイレ、付属品、及び取り付け具などが挙げられる。家庭の硬質表面はまた、家庭用電化製品を含むが、その例としては、冷蔵庫、冷凍庫、洗濯機、自動式乾燥機、オーブン、電子レンジ、食洗機などが挙げられるが、これらに限られない。かかる硬質表面は、個人の家庭において、また商用環境、企業環境、及び工業環境においても見出され得る。
【００１９】
好ましい一実施形態において、本明細書における液体組成物は、水性組成物である。したがって、それらは、全組成物の重量に対し、９０％〜９９．７％の水、好ましくは少なくとも約９３重量％、より好ましくは少なくとも約９５重量％、より好ましくは少なくとも約９７重量％、最も好ましくは少なくとも約９８重量％の水を含み得る。
【００２０】
本開示の組成物は、好ましくは、円錐角２°及び切頭部±６０μｍの４０ｍｍ円錐スピンドルを有する、剪断速度１０秒−１のＡｔｌａｓ（登録商標）からのＡＤ１０００  Ａｄｖａｎｃｅｄ  Ｒｈｅｏｍｅｔｅｒを用いて２０℃で測定したとき、１ｃｐｓ〜６５０ｃｐｓ、より好ましくは１００ｃｐｓ〜５５０ｃｐｓ、より好ましくは１５０ｃｐｓ〜４５０ｃｐｓ、最も好ましくは２５０ｃｐｓ〜３５０ｃｐｓの粘度を有する。
【００２１】
ｐＨは、好ましくは３〜１２、より好ましくは５〜１０、最も好ましくは６〜８である。本明細書の組成物は、適宜ｐＨを調整するための酸又は塩基を更に含んでもよいことが理解されるであろう。
【００２２】
本明細書における使用に好適な酸は、有機及び／又は無機酸である。本明細書における使用に好ましい有機酸は、７未満のｐＫａを有する。好適な有機酸は、クエン酸、乳酸、グリコール酸、マレイン酸、リンゴ酸、コハク酸、グルタル酸、及びアジピン酸、並びにこれらの混合物からなる群から選択される。好適な無機酸は、塩酸、硫酸、リン酸及びこれらの混合物からなる群から選択することができる。
【００２３】
存在するとき、かかる酸の典型的なレベルは、全組成物の重量に対し、０．００１％〜１．０％、好ましくは０．００５％〜０．５％、より好ましくは０．０１％〜０．０５％である。
【００２４】
本明細書において使用される好適な塩基は、有機及び／又は無機塩基である。本明細書における使用に好適な塩基は、水酸化ナトリウム、水酸化カリウム、及び／若しくは水酸化リチウムのような苛性アルカリ、並びに／又は酸化ナトリウム、及び／若しくは酸化カリウムのようなアルカリ金属酸化物、あるいはそれらの混合物である。好ましい塩基は苛性アルカリであり、より好ましくは、水酸化ナトリウム及び／又は水酸化カリウムである。
【００２５】
その他の好適な塩基としては、アンモニア、アンモニウムカーボネート、Ｋ２ＣＯ３、Ｎａ２ＣＯ３、及びアルカノールアミン（モノエタノールアミン、トリエタノールアミン、アミノメチルプロパノール、及びこれらの混合物など）が挙げられる。
【００２６】
存在するとき、かかる塩基の典型的なレベルは、全組成物の重量に対し、０．００１％〜１．０％、好ましくは０．００５％〜０．５％、より好ましくは０．０１％〜０．０５％である。
【００２７】
溶媒
液体硬質表面洗浄組成物は、好ましくは、少なくとも２つのグリコールエーテル溶媒の混合物を含む溶媒系を含む。６．５〜７．０のＨＬＢ値を有する第１のグリコールエーテル溶媒と、６．０〜６．５のＨＬＢ値を有する第２のグリコールエーテル溶媒と、を含む溶媒系。
【００２８】
溶媒系の選択は、典型的には、より高いレベル（重量による）の溶媒が、蒸発を促進するために低い沸点を有し、より低いレベル（重量による）の溶媒が、溶解性、湿潤、又は拡散などの二次的な利点をもたらすように選択される、二重溶媒系に関係する。
【００２９】
本開示において、溶媒は、その水溶性のレベル、又はその親水性−親油性バランス、又はＨＬＢ値について選択される。ＨＬＢ値が低いほど、溶媒への可溶性がより低く、油溶性又は油相溶性がより高い。例えば、０のＨＬＢ値は、完全な親油性／疎水性の分子又は油溶性の分子に相当し、２０のＨＬＢ値は、完全な親水性／疎油性又は水溶性の分子に相当する。
【００３０】
６．５〜７．０のＨＬＢ値を有する１つのグリコールエーテル溶媒と、６．０〜６．５のＨＬＢ値を有する第２のグリコールエーテル溶媒とを有する組成物は、従来の溶媒系を含む組成物と比較して、予想外により迅速な乾燥時間で良好な洗浄をもたらすことが見出された。
【００３１】
理論に束縛されるものではないが、好ましいＨＬＢ値を有する溶媒（単数又は複数）を有する組成物は、特に比較的高いレベルの水を有する組成物に対して、溶液安定性に十分な水溶性、及び油又は脂質溶解性に十分な油相溶性を提供する。好ましいＨＬＢ値を有する溶媒又は溶媒は、迅速な乾燥に必要な適度な蒸発レベルを維持しながら、洗浄、汚れ溶解、及び吸収に最適な油溶性をもたらす。
【００３２】
６．５〜７．０のＨＬＢを有するグリコールエーテルは、プロピレングリコールｎ−ブチルエーテル、ジプロピレングリコールｎ−ブチルエーテル、及びこれらの組み合わせからなる群から選択され得る。６．５〜７．０のＨＬＢを有する例示的なグリコールエーテルは、Ｄｏｗ  Ｃｈｅｍｉｃａｌ  ＣｏｍｐａｎｙからのＤＯＷＡＮＯＬ（商標）ＰｎＢ及びＤＯＷＡＮＯＬ（商標）ＤＰｎＢ  Ｇｌｙｃｏｌ  Ｅｔｈｅｒである。
【００３３】
６．０〜６．５のＨＬＢを有するグリコールエーテルは、エチレングリコールモノヘキシルエーテル、エチレングリコールフェニルエーテル、及びこれらの組み合わせからなる群から選択される。６．０〜６．５のＨＬＢを有する例示的なグリコールエーテルは、Ｄｏｗ  Ｃｈｅｍｉｃａｌ  ＣｏｍｐａｎｙからのＨｅｘｙｌ  ＣＥＬＬＯＳＯＬＶＥ（商標）及びＤＯＷＡＮＯＬ（商標）ＥＰＨである。
【００３４】
６．５〜７．０のＨＬＢを有するグリコールエーテル溶媒は、組成物全体の重量に対し、０．１５重量％〜１．５０重量％、より好ましくは０．２重量％〜１．０重量％、最も好ましくは０．３重量％〜０．７重量％のレベルで存在し得る。
【００３５】
６．０〜６．５のＨＬＢを有するグリコールエーテル溶媒は、組成物全体の重量に対し、０．１０重量％〜０．５０重量％、より好ましくは０．２重量％〜０．４５重量％、最も好ましくは０．３重量％〜０．４重量％のレベルで存在し得る。
【００３６】
組成物は、０．５重量％未満のエタノール、より好ましくは０．４重量％未満のエタノール、最も好ましくは０．３重量％未満のエタノールを含み得る。理論に束縛されるものではないが、より高いレベルのエタノールは、組成物の前進接触角に悪影響を及ぼし、硬質表面上の組成物の乾燥時間を増加させると考えられる。
【００３７】
アミンオキシド
本開示の液体硬質表面洗浄組成物は、アミンオキシド界面活性剤を含み得る。アミンオキシドは、組成物全体の重量に対し、０．０２重量％〜０．０７重量％、より好ましくは０．０３重量％〜０．０５重量％のレベルで存在し得る。
【００３８】
好適なアミンオキシド界面活性剤としては、Ｒ１Ｒ２Ｒ３ＮＯが挙げられ、式中、Ｒ１、Ｒ２及びＲ３のそれぞれは、独立して、１０〜３０個の炭素原子を有する飽和又は不飽和、置換又は非置換、直鎖又は分枝鎖の炭化水素鎖である。好ましいアミンオキシド界面活性剤は、以下の式：Ｒ１Ｒ２Ｒ３ＮＯを有するアミンオキシドであり、式中、Ｒ１は、１〜３０個、好ましくは６〜２０個、より好ましくは８〜１６個の炭素原子を含む炭化水素鎖であり、Ｒ２及びＲ３は、独立して、１〜４個の炭素原子、好ましくは１〜３個の炭素原子を含む飽和又は不飽和、置換又は非置換、直鎖又は分枝鎖の炭化水素鎖であり、より好ましくはメチル基である。Ｒ１は、飽和又は不飽和、置換又は非置換、直鎖又は分枝鎖の炭化水素鎖であってよい。
【００３９】
極めて好ましいアミンオキシドは、Ａｌｂｒｉｇｈｔ  ＆  Ｗｉｌｓｏｎから市販されているＣ１２〜Ｃ１４ジメチルアミンオキシド、ＣｌａｒｉａｎｔからＧｅｎａｍｉｎｏｘ（登録商標）ＬＡの商品名で市販されているＣ１２〜Ｃ１４アミンオキシド、又はＡＫＺＯ  Ｎｏｂｅｌから市販されているＡＲＯＭＯＸ（登録商標）ＤＭＣである。
【００４０】
エトキシル化アルコキシ化非イオン性界面活性剤
液体硬質表面洗浄組成物は、エトキシル化アルコキシ化非イオン性界面活性剤を含み得る。好ましくは、液体硬質表面洗浄組成物は、組成物の０．０００１〜１重量％、より好ましくは０．００１〜０．５重量％、最も好ましくは０．００１〜０．０１５重量％のレベルでエトキシル化アルコキシ化非イオン性界面活性剤を含む。エトキシル化アルコキシ化非イオン性界面活性剤は、好ましくは、エステル化アルキルアルコキシ化界面活性剤、分子のアルコキシ部分が、好ましくはプロポキシ、又はブトキシ、又はプロポキ−シブトキシである、アルキルエトキシアルコキシアルコール、ポリオキシアルキレンブロックコポリマー、及びこれらの混合物からなる群から選択される。
【００４１】
好ましいエトキシル化アルコキシ化非イオン性界面活性剤は、一般式（Ｉ）のエステル化アルキルアルコキシ化界面活性剤であり、
【００４２】
【化５】
2019531386.tif 000007
式中、
Ｒは、８〜１６個、好ましくは１０〜１６個、及びより好ましくは１２〜１５個の炭素原子を有する分岐又は非分岐アルキル基であり、
Ｒ３、Ｒ１は、互いに独立して、水素、又は１〜５個の炭素原子を有する分岐若しくは非分岐アルキル基であり、好ましくは、Ｒ３及びＲ１が水素であり、
Ｒ２は、５〜１７個の炭素原子を有する非分岐アルキル基であり、好ましくは、６〜１４個の炭素原子を有し、
ｌ、ｎは、互いに独立して、１〜５の数であり、
ｍが、８〜５０の数であり、及び
好ましくは、式（Ｉ）のエトキシル化アルコキシ化非イオン性界面活性剤の重量平均分子量は、９５０〜２３００ｇ／モル、より好ましくは１２００〜１９００ｇ／モルである。
【００４３】
好ましくは、Ｒは、１２〜１５個、好ましくは１３個の炭素原子である。Ｒ３及びＲ１は、好ましくは水素である。成分ｌは、好ましくは５である。ｎは、好ましくは１である。ｍは、好ましくは１３〜３５、より好ましくは１５〜２５、最も好ましくは２２である。Ｒ２は、好ましくは、６〜１４個の炭素原子である。
【００４４】
本発明の硬質表面洗浄組成物は、エステル化アルキルアルコキシ化界面活性剤が、以下：Ｒが、１２〜１５個、好ましくは１３個の炭素原子を有し、Ｒ３が水素であり、Ｒ１が水素であり、成分ｌが５であり、ｎが１であり、ｍが１５〜２５、好ましくは２２であり、Ｒ２が、６〜１４個の炭素原子を有し、エトキシル化アルコールが、１０〜１４個、より好ましくは１３個の炭素原子、及び５〜８分子、より好ましくは７分子のエチレンオキシドを含有する脂肪族アルコール鎖を含むとき、特に高い光沢を提供する。
【００４５】
好ましくは、エトキシル化アルコキシ化非イオン性界面活性剤は、ポリオキシアルキレンコポリマーであり得る。ポリオキシアルキレンコポリマーは、ブロック−ヘテリックエトキシル化アルコキシ化非イオン性界面活性剤であり得るが、ブロック−ブロック界面活性剤が好ましい。好適なポリオキシアルキレンブロックコポリマーとしては、式（ＩＩ）のエチレンオキシド／プロピレンオキシドブロックポリマー：
（ＥＯ）ｘ（ＰＯ）ｙ（ＥＯ）ｘ、又は                              （ＩＩ）
（ＰＯ）ｘ（ＥＯ）ｙ（ＰＯ）ｘ                                    （ＩＩ）
が挙げられ、式中、ＥＯが、エチレンオキシド単位を表し、ＰＯが、プロピレンオキシド単位を表し、ｘ及びｙが、生成物の各モルにおけるエチレンオキシド及びプロピレンオキシドの平均数を詳述する数である。かかる物質は、殆どの非イオン性界面活性剤よりも高い分子量を有する傾向があり、そのため、１０００〜３００００ｇ／モルの範囲であり得るが、分子量は、２２００超且つ好ましくは１３０００未満であるべきである。ポリマー非イオン性界面活性剤の分子量の好ましい範囲は、２４００〜１１５００ダルトンである。ＢＡＳＦ（Ｍｏｕｎｔ  Ｏｌｉｖｅ，Ｎ．Ｊ．）は、好適な一連の誘導体を製造し、それらをＰｌｕｒｏｎｉｃの商品名で販売している。これらの例は、それぞれ６６００、２４５０、及び１１４００ｇ／モルの分子量を有する、Ｐｌｕｒｏｎｉｃ（商標）Ｆ７７、Ｌ６２、及びＦ８８である。有用なポリマー非イオン性界面活性剤の特に好ましい例は、Ｐｌｕｒｏｎｉｃ（商標）Ｆ７７である。
【００４６】
他の好適なエトキシル化アルコキシ化非イオン性界面活性剤は、Ｓｕｒｆａｃｔａｎｔ  Ｓｃｉｅｎｃｅ  ａｎｄ  Ｔｅｃｈｎｏｌｏｇｙ，Ｔｈｉｒｄ  Ｅｄｉｔｉｏｎ，Ｗｉｌｅｙ  Ｐｒｅｓｓ，ＩＳＢＮ  ９７８−０−４７１−６８０２４−６の第７章に記載されている。
【００４７】
エトキシル化アルコキシ化非イオン性界面活性剤は、好ましくは、１５〜３５０秒、より好ましくは６０〜２００秒、更により好ましくは７５〜１５０秒の湿潤効果を提供する。湿潤効果は、２３℃で、２ｇ／ｌのソーダを含む蒸留水中に１ｇ／ｌのエトキシル化アルコキシ化非イオン性界面活性剤を使用して、ＥＮ１７７２に従って測定される。
【００４８】
エトキシル化アルコキシ化非イオン性界面活性剤は、好ましくは、アルコキシ化され、大量のアルケンオキシド及びエチレンオキシドを含有し得る非分枝鎖脂肪族アルコールを含む、低起泡性非イオン性界面活性剤である。例えば、好ましいエトキシル化アルコキシ化非イオン性界面活性剤としては、ＢＡＳＦによって商品名「Ｐｌｕｒａｆａｃ」で販売されているもの、特にＰｌｕｒａｆａｃ  ＬＦ１３１（２５秒の湿潤効果）、ＬＦ１３２（７０秒の湿潤効果）、ＬＦ２３１（４０秒の湿潤効果）、ＬＦ４３１（３０秒の湿潤効果）、ＬＦ１５３０（湿潤効果＞３００秒）、ＬＦ７３１（１００秒の湿潤効果）、ＬＦ１４３０（湿潤効果＞３００秒）、及びＬＦ７３１９（１００秒の湿潤効果）が挙げられ得る。
【００４９】
エトキシル化アルコキシ化非イオン性界面活性剤は、好ましくは水素化されておらず、したがって、脂肪族アルコール鎖は水素基で終端しない。かかる水素化非イオン性界面活性剤の例としては、Ｐｌｕｒａｆａｃ  ３０５及びＰｌｕｒａｆａｃ  ２０４が挙げられる。
【００５０】
コポリマー：
洗浄組成物は、洗浄組成物の重量に対し、０．０１％〜１０％、より好ましくは０．０５％〜５％、更により好ましくは０．１％〜３％、最も好ましくは０．１５〜１％の、式（ＩＩＩ）のモノマー（モノマーＡ）及び式（ＩＶａ〜ＩＶｄ）のモノマー（モノマーＢ）を含む群から選択されるモノマーを含むコポリマー（以下、「コポリマー」と称する）を含み得る。コポリマーは、６０〜９９重量％、好ましくは７０〜９５重量％、及び特に８０〜９０重量％の、少なくとも１つの式（ＩＩＩ）のモノエチレン性不飽和ポリアルキレンオキシドモノマー（モノマーＡ）を含み、
【００５１】
【化６】
2019531386.tif 000008
式中、式（ＩＩＩ）のＹが、−Ｏ−及び−ＮＨ−から選択され、式（ＩＩＩ）のＹが−Ｏ−の場合、式（ＩＩＩ）のＸが−ＣＨ２−、又は−ＣＯ−から選択され、式（ＩＩＩ）のＹが−ＮＨ−である場合、式（ＩＩＩ）のＸが−ＣＯ−であり、式（ＩＩＩ）のＲ１が、水素、メチル及びこれらの混合物から選択され、式（ＩＩＩ）のＲ２が、独立して、直鎖又は分枝鎖のＣ２〜Ｃ６−アルキレンラジカルから選択され、これらは、ブロック状又はランダムに配列され得、式（ＩＩＩ）のＲ３が、水素、Ｃ１〜Ｃ４−アルキル、及びこれらの混合物から選択され、式（ＩＩＩ）のｎが、５〜１００、好ましくは１０〜７０、より好ましくは２０〜５０の整数である。
【００５２】
コポリマーは、１〜４０重量％、好ましくは２〜３０重量％、特に５〜２０重量％の、少なくとも１つの式（ＩＶａ〜ＩＶｄ）の四級化窒素含有モノエチレン性不飽和モノマー（モノマーＢ）を含む。
【００５３】
モノマーは、コポリマーが２０，０００〜５００，０００ｇ／モル、好ましくは２５，０００超〜１５０，０００ｇ／モル、特に３０，０００〜８０，０００ｇ／モルの重量平均分子量（Ｍｗ）を有するように選択される。
【００５４】
コポリマーは、好ましくは、ｐＨ５以上で正味の正電荷を有する。
【００５５】
本開示で使用されるコポリマーは、モノマーＣ及び／又はＤを更に含み得る。モノマーＣは、コポリマーの重量に対し、０％〜１５％、好ましくは０〜１０％、特に１〜７％の、アニオン性モノエチレン性不飽和モノマーを含み得る。
【００５６】
モノマーＤは、コポリマーの０重量％〜４０重量％、好ましくは１〜３０重量％、特に５〜２０重量％の他の非イオン性モノエチレン性不飽和モノマーを含み得る。
【００５７】
本開示に従った好ましいコポリマーは、共重合したモノマーＡとして、式（ＩＩＩ）のモノエチレン性不飽和ポリアルキレンオキシドモノマーを含み、式中、式（ＩＩＩ）のＹが、−Ｏ−であり、式（ＩＩＩ）のＸが、−ＣＯ−であり、式（ＩＩＩ）のＲ１が、水素又はメチルであり、式（ＩＩＩ）のＲ２が、独立して、ブロック状又はランダムに配置されている直鎖又は分枝鎖のＣ２〜Ｃ４−アルキレンラジカル、好ましくはエチレン、１，２−若しくは１，３−プロピレン、又はこれらの混合物から選択され、特に好ましくはエチレンであり、式（ＩＩＩ）のＲ３が、メチルであり、ｎが、２０〜５０の整数である。
【００５８】
モノマーＡ
本開示のコポリマーに使用されるモノマーＡは、例えば：
（ａ）一端がアルキルラジカルで末端封止された、（メタ）アクリル酸と末端封止されていないポリアルキレングリコールとの反応生成物、及び
（ｂ）末端封止されていないか又は一端がアルキルラジカルで末端封止された、ポリアルキレングリコールのアルケニルエーテルであり得る。
【００５９】
好ましいモノマーＡは、（メタ）アクリレート及びアリルエーテルであり、アクリレート及び主にメタアクリレートが特に好ましい。モノマーＡの特に好適な例は、
（ａ）メチルポリエチレングリコール（メタ）アクリレート及び（メタ）アクリルアミド、メチルポリプロピレングリコール（メタ）アクリレート及び（メタ）アクリルアミド、メチルポリブチレングリコール（メタ）アクリレート及び（メタ）アクリルアミド、メチルポリ（プロピレンオキシド−コ−エチレンオキシド）（メタ）アクリレート及び（メタ）アクリルアミド、エチルポリエチレングリコール（メタ）アクリレート及び（メタ）アクリルアミド、エチルポリプロピレングリコール（メタ）アクリレート及び（メタ）アクリルアミド、エチルポリブチレングリコール（メタ）アクリレート及び（メタ）アクリルアミド、並びにエチルポリ（プロピレンオキシド−コ−エチレンオキシド）（メタ）アクリレート及び（メタ）アクリルアミド、であって、各々５〜１００、好ましくは１０〜７０、特に好ましくは２０〜５０のアルキレンオキシド単位を有し、メチルポリエチレングリコールアクリレートが好ましく、メチルポリエチレングリコールメタクリレートが特に好ましい、
（ｂ）各々５〜１００、好ましくは１０〜７０、特に好ましくは２０〜５０のアルキレンオキシド単位を有する、エチレングリコールアリルエーテル及びメチルエチレングリコールアリルエーテル、プロピレングリコールアリルエーテル及びメチルプロピレングリコールアリルエーテルである。
【００６０】
本開示に従ったコポリマー中のモノマーＡの比率は、コポリマーの重量に対し、６０％〜９９％、好ましくは７０％〜９５％、より好ましくは８０％〜９０％である。
【００６１】
モノマーＢ
本開示のコポリマーに特に好適であるモノマーＢとしては、１−ビニルイミダゾールの、ビニルピリジンの、（メタ）アクリル酸エステルの、アミノ酸含有（メタ）アクリルアミドの、特に（メタ）アクリル酸のＮ，Ｎ−ｄｉ−Ｃ１〜Ｃ４−アルキル−アミノ−Ｃ２〜Ｃ６−アルキルアミドの、及びジアリルアルキルアミンの、特にジアリル−Ｃ１−〜４−アルキルアミンの、アミノアルコール、特にＮ，Ｎ−ｄｉ−Ｃ１〜Ｃ４−アルキルアミノ−Ｃ２〜Ｃ６−アルコールとの四級化生成物が挙げられる。
【００６２】
好適なモノマーＢは、式ＩＶａ〜ＩＶｄを有し、
【００６３】
【化７】
2019531386.tif 000009
式中、式ＩＶａ〜ＩＶｄのＲが、Ｃ１〜Ｃ４−アルキル又はベンジル、好ましくはメチル、エチル又はベンジルから選択され、式ＩＶｃのＲ’が、水素又はメチルから選択され、式ＩＶｃのＹが、−Ｏ−又は−ＮＨ−から選択され、式ＩＶｃのＡが、Ｃ１〜Ｃ６−アルキレン、好ましくは直鎖又は分枝鎖のＣ２〜Ｃ４−アルキレン、特に１，２−エチレン、１，３−及び１，２−プロピレン、又は１，４−ブチレンから選択され、式ＩＶａ〜ＩＶｄのＸ−が、ヨウ化物、好ましくは塩化物又は臭化物などのハロゲン化物、Ｃ１〜Ｃ４−アルキルサルフェート、好ましくはメチルサルフェート又はエチルサルフェート、Ｃ１〜Ｃ４−アルキルスルホネート、好ましくはメチルスルホネート又はエチルスルホネート、Ｃ１〜Ｃ４−アルキルカーボネート、及びこれらの混合物から選択される。
【００６４】
本開示において利用され得る好ましいモノマーＢの具体例は、
（ａ）３−メチル−１−ビニルイミダゾリウムクロリド、３−メチル−１−ビニルイミダゾリウムメチルサルフェート、３−エチル−１−ビニルイミダゾリウムエチルサルフェート、３−エチル−１−ビニルイミダゾリウムクロリド、及び３−ベンジル−１−ビニルイミダゾリウムクロリド、
（ｂ）１−メチル−４−ビニルピリジニウムクロリド、１−メチル−４−ビニルピリジニウムメチルサルフェート、及び１−ベンジル−４−ビニルピリジニウムクロリド、
（ｃ）３−メタクリルアミド−Ｎ，Ｎ，Ｎ−トリメチルプロパン−１−アミニウムクロリド、３−アクリル−Ｎ，Ｎ，Ｎ−トリメチルプロパン−１−アミニウムクロリド、３−アクリル−Ｎ，Ｎ，Ｎ−トリメチルプロパン−１−アミニウムメチルサルフェート、３−メタクリル−Ｎ，Ｎ，Ｎ−トリメチルプロパン−１−アミニウムクロリド、３−メタクリル−Ｎ，Ｎ，Ｎ−トリメチルプロパン−１−アミニウムメチルサルフェート、２−アクリルアミド−Ｎ，Ｎ，Ｎ−トリメチルエタン−１−アミニウムクロリド、２−アクリル−Ｎ，Ｎ，Ｎ−トリメチルエタン−１−アミニウムクロリド、２−アクリル−Ｎ，Ｎ，Ｎ−トリメチルエタン−１−アミニウムメチルサルフェート、２−メタクリル−Ｎ，Ｎ，Ｎ−トリメチルエタン−１−アミニウムクロリド、２−メタクリル−Ｎ，Ｎ，Ｎ−トリメチルエタン−１−アミニウムメチルサルフェート、２−アクリル−Ｎ，Ｎ−ジメチル−Ｎ−エチルエタン−１−アミニウムエチルサルフェート、２−メタクリル−Ｎ，Ｎ−ジメチル−Ｎ−エチルエタン−１−アミニウムエチルサルフェート、並びに
（ｄ）ジメチルジアリルアンモニウムクロリド及びジエチルジアリルアンモニウムクロリドである。
【００６５】
好ましいモノマーＢは、３−メチル−１−ビニルイミダゾリウムクロリド、３−メチル−１−ビニルイミダゾリウムメチルサルフェート、３−メタクリル−Ｎ，Ｎ，Ｎ−トリメチルプロパン−１−アミニウムクロリド、２−メタクリル−Ｎ，Ｎ，Ｎ−トリメチルエタン−１−アミニウムクロリド、２−メタクリル−Ｎ，Ｎ−ジメチル−Ｎ−エチルエタン−１−アミニウムエチルサルフェート、及びジメチルジアリルアンモニウムクロリドから選択される。
【００６６】
本開示に従ったコポリマーは、コポリマーの重量に対し、１重量％〜４０重量％、好ましくは２％〜３０％、特に好ましくは５〜２０％のモノマーＢを含む。モノマーＡとモノマーＢとの重量比は、好ましくは、２：１以上、好ましくは３：１〜５：１である。
【００６７】
モノマーＣ
本開示のコポリマーの任意選択的な成分として、モノマーＣ及びＤもまた利用され得る。モノマーＣは、アニオン性モノエチレン性不飽和モノマーから選択される。好適なモノマーＣは、
（ａ）アクリル酸、メタクリル酸、２−メチレンブタン酸、クロトン酸及びビニル酢酸、好ましくはアクリル酸及びメタクリル酸などの、好ましくは３〜６個の炭素原子を有するα，β−不飽モノカルボン酸、
（ｂ）イタコン酸及びマレイン酸などの、好ましくは４〜６個の炭素原子を有する不飽和ジカルボン酸、これらの無水物（無水マレイン酸など）、
（ｃ）ビニルスルホン酸、アクリルアミド−プロパンスルホン酸、メタアリルスルホン酸、メタアクリルスルホン酸、ｍ−及びｐ−スチレンスルホン酸、（メタ）アクリルアミドメタンスルホン酸、（メタ）アクリルアミドエタンスルホン酸、（メタ）アクリルアミドプロパンスルホン酸、２−（メタ）アクリルアミド−２−メチルプロパンスルホン酸、２−アクリルアミド−２−ブタンスルホン酸、３−メタクリルアミド−２−ヒドロキシプロパンスルホン酸、メタンスルホン酸アクリレート、エタンスルホン酸アクリレート、プロパンスルホン酸アクリレート、アリルオキシベンゼンスルホン酸、メタアリルオキシベンゼンスルホン酸、及び１−アリルオキシ−２−ヒドロキシプロパンスルホン酸などのエチレン性不飽和スルホン酸、並びに
（ｄ）ビニルホスホン酸、並びにｍ−及びｐ−スチレンホスホン酸などのエチレン性不飽和ホスホン酸から選択され得る。
【００６８】
アニオン性モノマーＣは、水溶性の酸非含有形態又は水溶性塩形態、特にアルカリ金属及びアンモニウム形態、特にアルカリアンモニウム、塩、及び好ましくはナトリウム塩である塩の形態で存在し得る。
【００６９】
好ましいモノマーＣは、アクリル酸、メタクリル酸、マレイン酸、ビニルスルホン酸、２−（メタ）アクリルアミド−２−メチルプロパンスルホン酸及びビニルホスホン酸、特に好ましくは、アクリル酸、メタクリル酸、及び２−アクリルアミド−２−メチルプロパンスルホン酸から選択され得る。
【００７０】
本開示のコポリマー中のモノマーＣの比率は、コポリマーの重量に対し、１５重量％以下、好ましくは１％〜５％であり得る。
【００７１】
モノマーＣが本開示のコポリマー中に存在する場合、モノマーＢとモノマーＣとのモル比は、１超である。モノマーＡとモノマーＣとの重量比は、好ましくは４：１以上であり、より好ましくは５：１以上である。更に、モノマーＢとモノマーＣとの重量比は、２：１以上であり、更により好ましくは２．５：１である。
【００７２】
モノマーＤ
本開示のコポリマーの任意選択的な成分として、モノマーＤもまた利用され得る。モノマーＤは、
（ａ）モノエチレン性不飽和Ｃ３〜Ｃ６−カルボン酸、特にアクリル酸及びメタクリル酸と一価のＣ１〜Ｃ２２−アルコール、特にＣ１〜Ｃ１６−アルコールとのエステル、並びにモノエチレン性不飽和Ｃ３〜Ｃ６−カルボン酸、特にアクリル酸及びメタクリル酸と、メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、エチルヘキシル（メタ）アクリレート、デシル（メタ）アクリレート、ラウリル（メタ）アクリレート、イソボルニル（メタ）アクリレート、セチル（メタ）アクリレート、パルミチル（メタ）アクリレート及びステアリル（メタ）アクリレート、ヒドロキシエチル（メタ）アクリレート、ヒドロキシプロピル（メタ）アクリレート及びヒドロキシブチル（メタ）アクリレートなどの二価のＣ２〜Ｃ４アルコールと、のヒドロキシアルキルエステル、
（ｂ）モノエチレン性不飽和Ｃ３〜Ｃ６−カルボン酸、特にアクリル酸及びメタクリル酸と、Ｎ−メチル（メタ）アクリルアミド、Ｎ，Ｎ−ジメチル（メタ）アクリルアミド、Ｎ−エチル（メタ）アクリルアミド、Ｎ−プロピル（メタ）アクリルアミド、Ｎ−ｔｅｒｔ−ブチル（メタ）アクリルアミド、Ｎ−ｔｅｒｔ−オクチル（メタ）アクリルアミド及びＮ−ウンデシル（メタ）アクリルアミド、及び（メタ）アクリルアミドなどのＣ１〜Ｃ１２−アルキルアミン及びジ（Ｃ１〜Ｃ４−アルキル）アミンと、のアミド、
（ｃ）酢酸ビニル、プロピオン酸ビニル、酪酸ビニル、２−エチルヘキサン酸ビニル、及びラウリン酸ビニルなどの飽和Ｃ２〜Ｃ３０−カルボン酸、特にＣ２〜Ｃ１４−カルボン酸のビニルエステル、
（ｄ）ビニルメチルエーテル、ビニルエチルエーテル、ビニル−ｎ−プロピルエーテル、ビニルイソプロピルエーテル、ビニル−ｎ−ブチルエーテル、ビニルイソブチルエーテル、ビニル−２−エチルヘキシルエーテル、及びビニルオクタデシルエーテルなどのビニルＣ１〜Ｃ３０−アルキルエーテル、特にビニルＣ１〜Ｃ１８−アルキルエーテル、
（ｅ）Ｎ−ビニルホルムアミド、Ｎ−ビニル−Ｎ−メチル−ホルムアミド、Ｎ−ビニルアセトアミド、Ｎ−ビニル−Ｎ−メチルアセトアミド、Ｎ−ビニルイミダゾール、Ｎ−ビニルピロリドン、Ｎ−ビニルピペリドン、及びＮ−ビニルカプロラクタムなどのＮ−ビニルアミド及びＮ−ビニルラクタム、
（ｆ）エチレン、プロピレン、Ｃ４〜Ｃ２４−α−オレフィン、特にＣ４〜Ｃ１６−α−オレフィン、例えば、ブチレン、イソブチレン、ジイソブテン、スチレン、及びα−メチルスチレンなどの脂肪族及び芳香族オレフィン、並びに活性二重結合を有するジオレフィン、例えばブタジエン、
（ｇ）アクリロニトリル及びメタクリロニトリルなどの不飽和ニトリルから選択される非イオン性モノエチレン性不飽和モノマーから選択される。
【００７３】
好ましいモノマーＤは、メチル（メタ）アクリレート、エチル（メタ）アクリレート、（メタ）アクリルアミド、酢酸ビニル、プロピオン酸ビニル、ビニルメチルエーテル、Ｎ−ビニルホルムアミド、Ｎ−ビニルピロリドン、Ｎ−ビニルイミダゾール、及びＮ−ビニルカプロラクタムから選択される。Ｎ−ビニルイミダゾールが、特に好ましい。
【００７４】
モノマーＤが本開示のコポリマー中に存在する場合、モノマーＤの比率は、コポリマーの重量に対し、４０％以下、好ましくは１％〜３０％、より好ましくは５％〜２０％であり得る。
【００７５】
本開示の好ましいコポリマーとしては、
【００７６】
【化８】
2019531386.tif 000010
が挙げられ、式中、印ｙ及びｚが、モノマー比（ｚ：ｙ）が３：１〜２０：１であるようなものであり、印ｘ及びｚが、モノマー比（ｚ：ｘ）が１．５：１〜２０：１であるようなものであり、ポリマーが、２０，０００〜５００，０００ｇ／モル、好ましくは２５，０００超〜１５０，０００ｇ／モル、特に３０，０００〜８０，０００ｇ／モルの重量平均分子量を有する。
【００７７】
本開示に従ったコポリマーは、モノマーＡ及びＢ、並びに所望であれば、Ｃ及び／又はＤのフリーラジカル重合によって調製され得る。モノマーのフリーラジカル重合は、全ての既知の方法に従って実施され得、溶液重合及び乳化重合のプロセスが好ましい傾向がある。好適な重合開始剤は、熱又は光化学的（光開始剤）に分解して、ベンゾフェノン、アセトフェノン、ベンゾインエーテル、ベンジルジアルキルケトン及びこれらの誘導体などのフリーラジカルを形成する化合物である。
【００７８】
重合開始剤は、重合される材料の必要条件に従って、通常、重合されるモノマーの重量に対し、０．０１％〜１５重量％、好ましくは０．５％〜５重量％の量で使用され、個々に又は互いに組み合わせて使用され得る。
【００７９】
四級化モノマーＢの代わりに、対応する四級アミンを使用することも可能である。この場合、生じたコポリマーと、ハロゲン化アルキル、ジアルキルサルフェート及びジアルキルカーボネート、又はハロゲン化ベンジル（塩化ベンジルなど）などのアルキル化剤と、を反応させることによる重合の後、四級化が行われる。触れることができる好適なアルキル化剤の例としては、塩化メチル、臭化メチル及びヨウ化メチル、塩化エチル及び臭化エチル、ジメチルサルフェート、ジエチルサルフェート、ジメチルカーボネート及びジエチルカーボネートがある。
【００８０】
アニオン性モノマーＣは、遊離酸の形態、又は部分的若しくは完全に塩で中性化された形態のいずれかにおける重合に使用され得る。列挙され得る具体例には、水酸化ナトリウム溶液、水酸化カリウム溶液、炭酸ナトリウム、炭酸水素ナトリウム、エタノールアミン、ジエタノールアミン及びトリエタノールアミンがある。
【００８１】
本開示に従ったコポリマーのモル質量を制限するために、従来の調節剤、例えば、メルカプトエタノールなどのメルカプト化合物、チオグリコール酸、及び二亜硫酸ナトリウムが重合中に添加され得る。調節剤の好適な量は、重合されるモノマーの重量に対し、０．１重量％〜５重量％である。
【００８２】
四級化合物
液体硬質表面洗浄組成物は、四級化合物を含み得る。好ましくは、液体硬質表面洗浄組成物は、組成物の０．００１〜１重量％、より好ましくは０．００５〜０．５重量％、最も好ましくは０．０１重量％〜０．０８重量％のレベルで四級化合物を含む。
【００８３】
従来、四級化合物を含む組成物は、処理された表面上に見苦しいフィルム形成及び／又は筋形成を残す傾向がある。しかしながら、本開示の組成物は、驚くべきことに、改善された光沢及び低減された筋形成を提供する。
【００８４】
本明細書で有用な四級化合物は、好ましくは、Ｃ６〜Ｃ１８アルキルトリメチルアンモニウムクロリド、Ｃ６〜Ｃ１８ジアルキルジメチルアンモニウムクロリド、及びこれらの混合物からなる群から選択される。好ましくは、四級化合物は、Ｃ８〜Ｃ１２アルキルトリメチルアンモニウムクロリド、Ｃ８〜Ｃ１２ジアルキルジメチルアンモニウムクロリド、及びこれらの混合物からなる群から選択される。最も好ましくは、四級化合物は、Ｃ１０ジアルキルジメチルアンモニウムクロリドである。
【００８５】
有用な四級化合物の非限定例としては、（１）Ｍａｑｕａｔ（登録商標）（Ｍａｓｏｎから入手可能）、及びＨｙａｍｉｎｅ（登録商標）（Ｌｏｎｚａから入手可能）；（２）Ｌｏｎｚａの製品Ｕｎｉｑｕａｔ（登録商標）及びＢａｒｄａｃ（登録商標）などの、ジ（Ｃ６〜Ｃ１４）アルキルジ短鎖（Ｃ１〜４アルキル及び／又はヒドロキシアルキル）四級、（３）Ｄｏｗから入手可能なＤｏｗｉｃｉｌ（登録商標）及びＤｏｗｉｃｉｌ（登録商標）などのＮ−（３−クロロアリル）ヘキサミニウムクロリド、並びに（４）ジデシルジメチルアンモニウムクロリド（Ｂａｒｄａｃ  ２２、Ｕｎｉｑｕａｔ  ２２５０、又はＢａｒｄａｃ  ２２５０）、及びジオクチルジメチルアンモニウムクロリド（Ｂａｒｄａｃ  ２０５０）などのジ（Ｃ８〜Ｃ１２）ジアルキルジメチルアンモニウムクロリドが挙げられる。
【００８６】
好ましくは、四級化合物は、ベンジル四級アンモニウム塩ではない。かかるベンジル四級アンモニウム塩の例としては、アルキルジメチルベンジルアンモニウムクロリド（Ｕｎｉｑｕａｔ  ＱＡＣ）が挙げられる。
【００８７】
追加の界面活性剤
硬質表面洗浄組成物は、好ましくは非イオン性、アニオン性、両性、双極性イオン性、及びこれらの混合物から選択される界面活性剤を５重量％以下で含み得る。より好ましくは、硬質表面洗浄組成物は、０．００１重量％〜２重量％、又は０．００１重量％〜１重量％、又は０．００１重量％〜０．０５重量％の追加の界面活性剤を含み得る。
【００８８】
液体硬質表面洗浄組成物は、追加の非イオン性界面活性剤を含む。追加の非イオン性界面活性剤は、アルコキシ化非イオン性界面活性剤、アルキルポリグリコシド、及びこれらの混合物からなる群から選択される。
【００８９】
好適なアルコキシ化非イオン性界面活性剤としては、一級Ｃ６〜Ｃ１６アルコールポリグリコールエーテル、すなわち、アルキル部分に６〜１６個の炭素原子及び４〜３０個のエチレンオキシド（ＥＯ）単位を有するエトキシル化アルコールが挙げられる。例えばＣ９〜１４に言及する場合には、平均の炭素を意味し、代替的に例えばＥＯ８に言及する場合には、平均のエチレンオキシド単位を意味する。
【００９０】
好適なアルコキシ化非イオン性界面活性剤は、式：ＲＯ−（Ａ）ｎＨに従い、式中、Ｒが、Ｃ６〜Ｃ１８、好ましくはＣ８〜Ｃ１６、より好ましくはＣ８〜Ｃ１２アルキル鎖、又はＣ６〜Ｃ２８アルキルベンゼン鎖であり、Ａは、エトキシ又はプロポキシ又はブトキシ単位であり、ｎは１〜３０、好ましくは１〜１５、より好ましくは４〜１２、更により好ましくは５〜１０である。本明細書における使用に好ましいＲ鎖は、Ｃ８〜Ｃ２２アルキル鎖である。本明細書における使用に更に好ましいＲ鎖は、Ｃ９〜Ｃ１２アルキル鎖である。Ｒは、直鎖又は分枝鎖のアルキル鎖であってよい。
【００９１】
本明細書における使用に好適なエトキシル化非イオン性界面活性剤は、Ｄｏｂａｎｏｌ（登録商標）９１−２．５（ＨＬＢ＝８．１であり、Ｒは、Ｃ９及びＣ１１アルキル鎖の混合物であり、ｎは２．５である）、Ｄｏｂａｎｏｌ（登録商標）９１−１０（ＨＬＢ＝１４．２；Ｒは、Ｃ９〜Ｃ１１アルキル鎖の混合物であり、ｎは１０である）、Ｄｏｂａｎｏｌ（登録商標）９１−１２（ＨＬＢ＝１４．５；Ｒは、Ｃ９〜Ｃ１１アルキル鎖の混合物であり、ｎは１２である）、Ｇｒｅｅｎｂｅｎｔｉｎｅ  ＤＥ８０（ＨＬＢ＝１３．８、９８重量％Ｃ１０直鎖アルキル鎖、ｎは８である）、Ｍａｒｌｉｐａｌ  １０−８（ＨＬＢ＝１３．８、Ｒは、Ｃ１０直鎖アルキル鎖であり、ｎは８である）、Ｌｉａｌｅｔｈｌ（登録商標）１１−５（Ｒは、Ｃ１１アルキル鎖であり、ｎは５である）、Ｉｓａｌｃｈｅｍ（登録商標）１１−５（Ｒは、直鎖及び分枝鎖Ｃ１１アルキル鎖の混合物であり、ｎは５である）、Ｌｉａｌｅｔｈｌ（登録商標）１１−２１（Ｒは、直鎖及び分枝鎖Ｃ１１アルキル鎖の混合物であり、ｎは２１である）、Ｉｓａｌｃｈｅｍ（登録商標）１１−２１（Ｒは、Ｃ１１分枝鎖アルキル鎖であり、ｎは２１である）、Ｅｍｐｉｌａｎ（登録商標）ＫＢＥ２１（Ｒは、Ｃ１２及びＣ１４アルキル鎖の混合物であり、ｎは２１である）、又はこれらの混合物である。本明細書で好ましいものとしては、Ｄｏｂａｎｏｌ（登録商標）９１−５、Ｎｅｏｄｏｌ（登録商標）１１−５、Ｌｉａｌｅｔｈｌ（登録商標）１１−２１  Ｌｉａｌｅｔｈｌ（登録商標）１１−５  Ｉｓａｌｃｈｅｍ（登録商標）１１−５  Ｉｓａｌｃｈｅｍ（登録商標）１１−２１  Ｄｏｂａｎｏｌ（登録商標）９１−８、又はＤｏｂａｎｏｌ（登録商標）９１−１０、又はＤｏｂａｎｏｌ（登録商標）９１−１２、あるいはこれらの混合物がある。これらのＤｏｂａｎｏｌ（登録商標）／Ｎｅｏｄｏｌ（登録商標）界面活性剤は、ＳＨＥＬＬより市販されている。これらのＬｕｔｅｎｓｏｌ（登録商標）界面活性剤は、ＢＡＳＦ社より市販され、これらのＴｅｒｇｉｔｏｌ（登録商標）界面活性剤は、Ｄｏｗ  Ｃｈｅｍｉｃａｌｓ社より市販されている。
【００９２】
本明細書における使用に好適なアルコキシ化非イオン性界面活性剤の化学的な調製プロセスとしては、所望の割合での対応するアルコールとアルキレンオキシドとの縮合が挙げられる。ＯＸＯプロセス及びその様々な派生物を含むかかるプロセスは、当業者に周知であり、当該技術分野において広く説明されている。ＯＸＯプロセスを使用して生成される好適なアルコキシ化脂肪族アルコール非イオン性界面活性剤は、Ｓｈｅｌｌ  Ｃｈｅｍｉｃａｌ  Ｃｏｍｐａｎｙによって商品名ＮＥＯＤＯＬ（登録商標）で販売されている。あるいは、好適なアルコキシ化非イオン性界面活性剤は、チーグラープロセスなどの他のプロセス、加えてＯＸＯ又はチーグラープロセスの派生物によって調製され得る。
【００９３】
好ましくは、当該アルコキシ化非イオン性界面活性剤は、Ｃ９〜１１  ＥＯ５アルキルエトキシレート、Ｃ１２〜１４  ＥＯ５アルキルエトキシレート、Ｃ１１  ＥＯ５アルキルエトキシレート、Ｃ１２〜１４  ＥＯ２１アルキルエトキシレート、又はＣ９〜１１  ＥＯ８アルキルエトキシレート、又はこれらの混合物である。最も好ましくは、当該アルコキシ化非イオン性界面活性剤は、Ｃ１１  ＥＯ５アルキルエトキシレート又はＣ９〜１１  ＥＯ８アルキルエトキシレート又はこれらの混合物である。
【００９４】
アルキルポリグリコシドは、当該技術分野において周知の生分解性非イオン性界面活性剤である。好適なアルキルポリグリコシドは、一般式ＣｎＨ２ｎ＋１Ｏ（Ｃ６Ｈ１０Ｏ５）ｘＨを有することができ、式中、ｎは好ましくは９〜１６、より好ましくは１１〜１４であり、ｘは好ましくは１〜２、より好ましくは１．３〜１．６である。かかるアルキルポリグリコシドは、消泡活性と洗浄性との間の良好なバランスを提供する。アルキルポリグリコシド界面活性剤は、多種多様に市販されている。非常に好適なアルキルポリグリコシド生成物の例は、本質的にアルキルポリグリコシドの水性分散体であるＰｌａｎｔｅｒｅｎ  ＡＰＧ  ６００であり、式中、ｎが約１３であり、ｘが約１．４である。
【００９５】
追加の非イオン性界面活性剤は、好ましくは、９５０ｇ／モル未満、より好ましくは５００ｇ／モル未満の分子量を有する低分子量非イオン性界面活性剤である。
【００９６】
液体硬質表面洗浄組成物は、アニオン性界面活性剤を含み得る。特に好ましい一実施形態において、組成物はアニオン性界面活性剤を本質的に含まない。しかしながら、含まれる場合、アニオン性界面活性剤は、アルキルサルフェート、アルキルアルコキシ化サルフェート、スルホン酸又はスルホネート界面活性剤、及びこれらの混合物からなる群から選択され得る。
【００９７】
好適な双極性イオン性界面活性剤は、典型的には、使用ｐＨにおいて電気的に中性であるように、実質的に等しい比率でカチオン性基及びアニオン性基を両方含有する。典型的なカチオン性基は、四級アンモニウム基であり、ホスホニウム、イミダゾリウム、及びスルホニウム基のような他の正に帯電している基が使用され得る。典型的なアニオン性親水基は、カルボキシレート及びスルホネートであるが、サルフェート、ホスホネートなどのような他の基が使用され得る。
【００９８】
双極性イオン性界面活性剤（例えば、ベタイン／スルホベタイン界面活性剤など）のいくつかの一般的な例は、米国特許第２，０８２，２７５号、同第２，７０２，２７９号、及び同第２，２５５，０８２号に記載されている。例えば、ココナッツジメチルベタインは、Ｓｅｐｐｉｃから商品名Ａｍｏｎｙｌ  ２６５（登録商標）で市販されている。ラウリルベタインは、Ａｌｂｒｉｇｈｔ  ＆  Ｗｉｌｓｏｎから商品名Ｅｍｐｉｇｅｎ  ＢＢ／Ｌ（登録商標）で市販されている。ベタインの更なる例は、Ｒｈｏｄｉａから商品名Ｍｉｒａｔａｉｎｅ  Ｈ２Ｃ−ＨＡ（登録商標）で市販のラウリル−イミノジプロピオネートである。
【００９９】
スルホベタイン界面活性剤は、石鹸かすの洗浄を改善することができるので、特に好ましい。好適なスルホベタイン界面活性剤の例としては、タロービス（ヒドロキシエチル）スルホベタイン、ココアミドプロピルヒドロキシスルホベタインが挙げられ、これらは、Ｒｈｏｄｉａ及びＷｉｔｃｏからそれぞれ商品名Ｍｉｒａｔａｉｎｅ  ＣＢＳ（登録商標）及びＲｅＷｏｔｅｒｉｃ  ＡＭ  ＣＡＳ  １５（登録商標）で市販されている。
【０１００】
両性界面活性剤は、組成物のｐＨに依存してカチオン性又はアニオン性のいずれであることができる。好適な両性界面活性剤としては、ドデシルβ−アラニン、米国特許第２，６５８，０７２号に教示されているようにドデシルアミンをイセチオン酸ナトリウムと反応させることによって調製されるものなどのＮ−アルキルタウリン、米国特許第２，４３８，０９１号に教示されているものなどのＮ−高級アルキルアスパラギン酸、及び米国特許第２，５２８，３７８号に記載されているように商品名「Ｍｉｒａｎｏｌ」として販売されている製品が挙げられる。他の好適な追加の界面活性剤は、ＭｃＣｕｔｃｈｅｏｎ’ｓ  Ｄｅｔｅｒｇｅｎｔｓ  ａｎｄ  Ｅｍｕｌｓｉｆｅｒｓ、Ｎｏｒｔｈ  Ａｍｅｒｉｃａｎ  Ｅｄ．１９８０に見出され得る。
【０１０１】
増粘剤
液体硬質表面洗浄組成物は、増粘剤を含み得る。特に好ましい一実施形態において、組成物は増粘剤を本質的に含まない。特に処理される表面に未希釈で塗布されると、増加した粘度、特に低い剪断粘度によって、より長い接触時間がもたらされるので、油汚れ及び／又は粒子状油汚れの浸透が改善して、洗浄効果が改善される。更に、高い低剪断粘度は、液体洗浄組成物の相安定性を改善し、特に、液体硬質表面洗浄組成物の組成物中のエトキシル化アルコキシ化非イオン性界面活性剤の安定性を改善する。したがって、好ましくは、増粘剤を含む液体硬質表面洗浄組成物は、円錐角２°及び切頭部±６０μｍの４０ｍｍ円錐スピンドルを有する剪断速度１０ｓ−１のＡｔｌａｓ（登録商標）製ＡＤ１０００  Ａｄｖａｎｃｅｄレオメータを使用して測定したとき、２０℃で５０Ｐａ．ｓ〜６５０Ｐａ．ｓ、より好ましくは１００Ｐａ．ｓ〜５５０Ｐａ．ｓ、最も好ましくは１５０Ｐａ．ｓ〜４５０Ｐａ．ｓの粘度を有する。
【０１０２】
好適な増粘剤としては、ポリアクリレート系ポリマー、好ましくは疎水変性ポリアクリレートポリマー、ヒドロキシエチルセルロース、好ましくは疎水変性ヒドロキシエチルセルロース、キサンタンガム、硬化ヒマシ油（ＨＣＯ）、及びこれらの混合物が挙げられる。
【０１０３】
好ましい増粘剤は、ポリアクリレート系ポリマー、好ましくは、疎水変性ポリアクリレートポリマーである。好ましくは、主モノマーであるアクリル酸、アクリル酸エステル、酢酸ビニル、メタクリル酸、アクリルニトリル及びこれらの混合物を主成分とする水溶性コポリマーであり、より好ましくは、コポリマーは、乳状で低粘度分散液の外観を有するメタクリル酸及びアクリル酸エステルを主成分とするものである。最も好ましい疎水（hydrologically）変性ポリアクリレートポリマーは、ＢＡＳＦより市販されているＲｈｅｏｖｉｓ（登録商標）ＡＴ１２０である。
【０１０４】
他の好適な増粘剤としては、ヒドロキシエチルセルロース（ＨＭ−ＨＥＣ）、好ましくは疎水変性されたヒドロキシエチルセルロースである。好適なヒドロキシエチルセルロース（ＨＭ−ＨＥＣ）としては、Ａｑｕａｌｏｎ／ＨｅｒｃｕｌｅｓよりＰｏｌｙｓｕｒｆ７６（登録商標）の製品名で、及び３Ｖ  ＳｉｇｍａよりＷ３０１の製品名で市販されるものがある。
【０１０５】
硬化ヒマシ油は、本明細書で使用される１つの好ましい増粘剤である。好適な硬化ヒマシ油は、Ｅｌｅｍｅｎｔｉｓから商品名ＴＨＩＸＣＩＮ  Ｒで入手可能である。
【０１０６】
本明細書で使用される別の好ましい増粘剤は、ＢＡＳＦから市販されている変性メタクリル酸／アクリル酸コポリマーＲｈｅｏｖｉｓ（登録商標）ＡＴ１２０である。
【０１０７】
使用されるとき、液体硬質表面洗浄組成物は、全組成物の重量に対し、０．０００１％〜１．０％、好ましくは０．０００５％〜０．０５、最も好ましくは０．００１％〜０．０１％の当該増粘剤を含む。
【０１０８】
キレート剤
液体硬質表面洗浄組成物は、キレート剤又は結晶成長阻害剤を含み得る。特に好ましい一実施形態において、組成物はキレート剤を本質的に含まない。存在するとき、キレート剤は、全組成物の重量に対し、０．０００１％〜１．０％、好ましくは０．０００５％〜０．０５、最も好ましくは０．００１％〜０．０１％の範囲の量で当該組成物に組み込まれ得る。
【０１０９】
好適なホスホネートキレート剤としては、エチレンジアミンテトラメチレンホスホネート、及びジエチレントリアミンペンタメチレンホスホネート（ＤＴＰＭＰ）が挙げられる。ホスホネート化合物は、その酸又はその酸性官能基の一部若しくは全てにおける異なるカチオンの塩として存在し得る。本明細書における使用に好ましいホスホネートキレート剤は、ジエチレントリアミンペンタメチレンホスホネート（ＤＴＰＭＰ）である。かかるホスホネートキレート剤は、Ｍｏｎｓａｎｔｏから商品名ＤＥＱＵＥＳＴ（登録商標）で市販されている。
【０１１０】
本明細書における使用に好ましい生分解性キレート剤は、エチレンジアミンＮ，Ｎ’−二コハク酸、又はアルカリ金属塩若しくはアルカリ土類金属塩、アンモニウム塩若しくはそれらの置換アンモニウム塩、又はこれらの混合物である。エチレンジアミンＮ，Ｎ’−二コハク酸、特に（Ｓ，Ｓ）異性体については、Ｈａｒｔｍａｎ及びＰｅｒｋｉｎｓの米国特許第４，７０４，２３３号（１９８７年１１月３日発行）に広く説明されている。エチレンジアミンＮ，Ｎ’−二コハク酸は、例えば、Ｐａｌｍｅｒ  Ｒｅｓｅａｒｃｈ  Ｌａｂｏｒａｔｏｒｉｅｓから、商品名（Ｓ，Ｓ）ＥＤＤＳ（登録商標）で市販されている。最も好ましい生分解性キレート剤は、Ａｋｚｏ  ＮｏｂｅｌよりＤｉｓｓｏｌｖｉｎｅ４７Ｓの商品名で市販されるＬ−グルタミン酸Ｎ，Ｎ−二酢酸（ＧＬＤＡ）である。
【０１１１】
本明細書における使用に好適なアミノカルボキシレートとしては、エチレンジアミン四酢酸、ジエチレントリアミン五酢酸、ジエチレントリアミン五酢酸（ＤＴＰＡ）、Ｎ−ヒドロキシエチルエチレンジアミン三酢酸、ニトリロ三酢酸、エチレンジアミンテトラプロピオネート、トリエチレンテトラアミン六酢酸、エタノールジグリシン、及びメチルグリシン二酢酸（ＭＧＤＡ）の酸として形態、又はアルカリ金属塩、アンモニウム塩、及び置換アンモニウム塩としての形態が挙げられる。本明細書における使用に特に好適なアミノカルボキシレートは、例えばＢＡＳＦより商品名Ｔｒｉｌｏｎ  ＦＳ（登録商標）で市販されるプロピレンジアミン四酢酸（ＰＤＴＡ）、及びメチルグリシン二酢酸（ＭＧＤＡ）である。本明細書における使用に最も好ましいアミノカルボキシレートは、ＢＡＳＦより販売されるジエチレントリアミン五酢酸（ＤＴＰＡ）である。更に、本明細書における使用のためのカルボン酸キレート剤としては、サリチル酸、アスパラギン酸、グルタミン酸、グリシン、マロン酸、又はこれらの混合物が挙げられる。
【０１１２】
窒素含有ポリマー
液体硬質表面洗浄組成物は、窒素含有ポリマーを含み得る。本明細書で有用な窒素含有ポリマーとしては、アミン（一級、二級、及び三級）、アミン−Ｎ−オキシド、アミド、ウレタン、及び／又は四級アンモニウム基を含有するポリマーが挙げられる。存在するとき、本明細書のポリマーは、表面からの任意の存在するカチオン性四級化合物に取って代わるために、処理される表面と強く相互作用する傾向がある窒素含有基を含有することが重要である。
【０１１３】
好ましくは、本明細書のポリマーは、塩基性窒素基を含有する。塩基性窒素基としては、プロトン受容体として作用可能な一級、二級、及び三級アミンが挙げられる。したがって、本明細書の好ましいポリマーは、溶液のｐＨに依存して、非イオン性又はカチオン性であってもよい。本明細書で有用なポリマーは、窒素基に加えて、他の官能基を含み得る。本明細書で好ましいポリマーはまた、四級アンモニウム基を本質的に含まないか、又は含まない。
【０１１４】
好ましくは、本明細書のポリマーは、分枝鎖ポリマー、特に櫛、グラフト、放射状、及び樹枝状構造を含む高度に分枝したポリマーである。好ましくは、本明細書のポリマーは、直鎖ポリマーではない。
【０１１５】
本明細書の窒素含有ポリマーは、未変性又は変性ポリアミン、特に未変性又は変性ポリアルキレンイミンであり得る。好ましくは、本明細書の窒素含有ポリマーは、変性ポリアミンである。ポリ（Ｃ２〜Ｃ１２アルキレンイミン）としては、単純なポリエチレンイミン及びポリプロピレンイミン、並びにこれらのポリアミンを含有するより複雑なポリマーが挙げられる。ポリエチレンイミンは、アジリジンの重合、又は（ジ）アミンのアルキレンジクロリドとの反応によって生成される一般的な市販の材料である。ポリプロピレンイミンはまた、本明細書に含まれる。
【０１１６】
変性ポリアミンが好ましいが、直鎖又は分枝鎖ポリアルキレンイミン、特にポリエチレンイミン又はポリプロピレンイミンは、四級化合物を含有するかかる組成物から生じるフィルム形成及び／又は筋形成を緩和するために、本発明の組成物に好適であり得る。分枝鎖ポリアルキレンイミンは、直鎖ポリアルキレンイミンよりも好ましい。好適なポリアルキレンイミンは、典型的には、約１，０００〜約３０，０００ダルトン、好ましくは約４，０００〜約２５，０００ダルトンの分子量を有する。四級化合物を含有する組成物によって引き起こされるフィルム形成及び／又は筋形成の問題を緩和するポリアルキレンイミンの能力が、それらのエトキシル化又はプロポキシル化によって低減又は排除されることが見出されているので、かかるポリアルキレンイミンは、エトキシル化基及び／又はプロポキシル化基を全く含まない。
【０１１７】
すすぎのない洗浄方法での使用に好ましい低界面活性剤組成物において、かかる組成物は、典型的には、組成物の重量に対し、約０．００５％〜約１％、好ましくは約０．００５％〜約０．３％、より好ましくは約０．００５％〜約０．１％のレベルで窒素含有ポリマーを含む。
【０１１８】
本明細書の窒素含有ポリマーとして有用な好ましい変性ポリアミンの例は、約２５，０００ダルトンの分子量を有する分枝鎖ポリエチレンイミン、並びにＢＡＳＦから入手可能なＬｕｐａｓｏｌ（登録商標）ＳＫ及びＬｕｐａｓｏｌ（登録商標）ＳＫ（Ａ）である。
【０１１９】
追加のポリマー
液体硬質表面洗浄組成物は、追加のポリマーを含み得る。本明細書に記載の特定のポリマーの存在は、存在するとき、ポリマーが組成物に提供する特定の泡立ち／起泡特徴のために液体組成物の油脂除去性能を更に改善することを可能にすることが見出されている。本明細書における使用に好適なポリマーは、同時係属の欧州特許出願２２７２９４２（０９１６４８７２．５）号、及び登録欧州特許第２０２５７４３（０７１１３１５６．９）号に開示されている。
【０１２０】
ポリマーは、ビニルピロリドンホモポリマー（ＰＶＰ）、ポリエチレングリコールジメチルエーテル（ＤＭ−ＰＥＧ）、ビニルピロリドン／ジアルキルアミノアルキルアクリレート、又はメタクリレートコポリマー、ポリスチレンスルホネートポリマー（ＰＳＳ）、ポリビニルピリジン−Ｎ−オキシド（ＰＶＮＯ）、ポリビニルピロリドン／ビニルイミダゾールコポリマー（ＰＶＰ−ＶＩ）、ポリビニルピロリドン／ポリアクリル酸コポリマー（ＰＶＰ−ＡＡ）、ポリビニルピロリドン／酢酸ビニルコポリマー（ＰＶＰ−ＶＡ）、ポリアクリル酸ポリマー又はポリアクリル酸マレイン酸コポリマー、及びポリアクリル酸又はポリアクリル酸マレイン酸ホスホノ末端基コポリマー、並びにこれらの混合物からなる群から選択することができる。
【０１２１】
典型的には、液体硬質表面洗浄組成物は、全組成物の重量に対し、０．００１％〜１．０％、好ましくは０．００５％〜０．５％、より好ましくは０．０１％〜０．０５％、最も好ましくは０．０１％〜０．０３％の当該ポリマーを含み得る。
【０１２２】
脂肪酸
液体硬質表面洗浄組成物は、非常に好ましい任意選択的な成分として、特に抑泡剤として、脂肪酸を含み得る。脂肪酸は、液体組成物が塗布された表面から当該組成物をすすぎ落とすときの当該組成物の泡立ちを低減するので、本明細書において望ましい。
【０１２３】
好適な脂肪酸としては、Ｃ８〜Ｃ２４脂肪酸のアルカリ塩が挙げられる。かかるアルカリ塩としては、脂肪酸のナトリウム塩、カリウム塩、及び／又はリチウム塩のような完全飽和金属塩、並びに脂肪酸のアンモニウム塩及び／又はアルキルアンモニウム塩が挙げられ、好ましくはナトリウム塩である。本明細書における使用に好ましい脂肪酸は、８〜２２個、好ましくは８〜２０個、より好ましくは８〜１８個の炭素原子を含有する。好適な脂肪酸は、カプリル酸、カプリン酸、ラウリン酸、ミリスチン酸、パルミチン酸、ステアリン酸、オレイン酸、及び、植物又は動物エステルのような天然原料由来の、適宜硬化された脂肪酸（例えばパーム油、オリーブ油、ココヤシ油、大豆油、ヒマシ油、獣脂、グラウンドオイル、鯨油及び魚油、並びに／又はババスオイル）の混合物から選択することができる。例えば、ココナッツ脂肪酸は、ＰＡＬＭＥＲＡＢ１２１１の名称にてＫＬＫ  ＯＬＥＡから市販されている。
【０１２４】
典型的には、液体硬質表面洗浄組成物は、全組成物の重量に対し、０．５％以下の当該脂肪酸、好ましくは全組成物の重量に対し、０．０５％〜０．３％、より好ましくは０．０５％〜０．２％、最も好ましくは０．０７％〜０．１％の当該脂肪酸を含み得る。
【０１２５】
分枝鎖脂肪族アルコール
液体硬質表面洗浄組成物は、特に抑泡剤として、分枝鎖脂肪族アルコールを含み得る。適した分枝鎖脂肪族アルコールとしては、６〜１６、好ましくは７〜１３、より好ましくは８〜１２、最も好ましくは８〜１０個の炭素原子と、末端ヒドロキシ基とを含むアルキル鎖を有する２−アルキルアルカノールが挙げられ、上記アルキル鎖は、１〜１０、好ましくは２〜８、より好ましくは４〜６個の炭素原子を含むアルキル鎖により、α位（すなわち位置番号２）にて置換されている。かかる好適な化合物は、例えばＳａｓｏｌから市販されている、Ｉｓｏｆｏｌ（登録商標）１２（２−ブチル−オクタノール）又はＩｓｏｆｏｌ（登録商標）１６（２−ヘキシルデカノール）などのＩｓｏｆｏｌ（登録商標））シリーズとして、市販されている。
【０１２６】
典型的には、液体硬質表面洗浄組成物は、全組成物の２．０重量％以下、好ましくは０．１０重量％〜１．０重量％、より好ましくは０．１重量％〜０．８重量％、最も好ましくは０．１重量％〜０．５重量％の当該分枝鎖脂肪族アルコールを含み得る。
【０１２７】
香料
液体硬質表面洗浄組成物は、好ましくは、香料を含む。好適な香料は、嗅覚的な審美的利益を提供し、かつ／あるいは製品が有し得る任意の「化学的な」臭気を弱める。
【０１２８】
他の任意選択的な成分
液体硬質表面洗浄組成物は、目的とする技術的利点及び処理される表面に依存して、種々の他の任意選択的な成分を含み得る。本明細書における使用に好適な任意選択的な成分としては、ビルダー、他のポリマー、緩衝剤、殺菌剤、ヒドロトロープ、着色剤、安定剤、ラジカルスカベンジャー、研磨剤、汚れ浮遊剤、増白剤、防塵剤、分散剤、転染阻害剤、顔料、シリコーン、及び／又は染料が挙げられる。
【０１２９】
洗浄パッド
液体硬質表面洗浄組成物は、本開示の洗浄パッドと組み合わせて使用され得る。洗浄パッドは乾燥していてもよく、洗浄組成物で湿潤された表面に接触してもよく、又は洗浄パッドは予め湿らせてもよい。洗浄パッドは、１つ以上の層を備え得る。
【０１３０】
図１Ａ、１Ｂ、及び２を参照すると、洗浄パッド１０は、標的表面上に付着している洗浄流体及び他の液体の吸収及び貯蔵を提供するために、複数の層を備え得る。標的表面は、本明細書において床として記載されるが、当業者は、本発明がそのように限定されないことを認識するであろう。標的表面は、テーブル又は調理台などの任意の硬質表面であってもよく、この表面から、こぼれ、洗浄溶液などの液体を吸収及び保持することが望ましい。
【０１３１】
洗浄パッド１０は、洗浄中に床に接触し、好ましくは洗浄中に所望の摩擦係数を提供する液体透過性フロアシート１４を備え得る。吸収性ゲル化材料（「ＡＧＭ」）１６Ａを好ましくは含む吸収性コア１６は、フロアシート１４の内向き表面上に配置され、かつ任意選択的に接合される。フロアシートは、少なくとも３０％、より好ましくは少なくとも３５％の吸収性を有し得る。洗浄パッドが床以外の表面を洗浄するために使用される場合、フロアシートは、洗浄される表面に接触するシートであり得ることが理解されるべきである。
【０１３２】
洗浄パッドのフロアシートは、約１ｍｍ〜約５ｍｍ、より好ましくは約１．５ｍｍ〜約３．０ｍｍ、最も好ましくは約１．２ｍｍの厚さを有し得る。
【０１３３】
平滑化ストリップ１２は、フロアシート１４の外向き表面上に配置され得る。任意選択的に、バックシート１８は、フロアシート１４の反対側のコア１６に接合されて、洗浄パッド１０の用具３０への取り付けを提供してもよい。バックシート１８は、用具３０への取り付けを特に容易にするために、１つ以上の取り付けストリップ２０を有する外向き表面を有し得る。洗浄パッド１０は、概ね平面であってもよく、ＸＹ平面及び関連するＸ、Ｙ軸を画定し得る。Ｚ軸は、それに対して垂直であり、洗浄パッド１０が床に使用されているときに概ね垂直である。
【０１３４】
所望であれば、コア１６は、洗浄パッド１０の吸収能力を増加するためにＡＧＭ１６Ａを含み得る。洗浄パッド１０の最も効果的な使用を提供するため、迅速な吸収を回避し、流体をゆっくりと吸収するような様式で、粒子の形態であり得るＡＧＭ１６Ａは、洗浄パッド１０内に分散され得る。ＡＧＭ１６Ａはまた、床から吸収された汚れた液体を捕捉し、再付着を防止する。所望であれば、発泡体吸収性材料又は繊維状材料が、コア１６に組み込まれてもよい。
【０１３５】
洗浄パッド１０をより詳細に検査すると、洗浄パッド１０は、積層体に配置された複数の層を備え得る。最下部、すなわち下向きの外側層は、開口部を備え、そこを通って液体の透過を可能にし、かつ、標的表面の摺洗を促進し得る。１つ、２つ、又はそれ以上のコア１６の層は、液体の貯蔵を提供し得、吸収性ゲル化材料を含み得る。洗浄パッド１０は、本願と同一譲渡人に譲渡された米国特許第６，００３，１９１号及び同第６，６０１，２６１号に記載のように、乾燥洗浄シート１０の１グラム当たり、少なくとも１０、１５、又は２０グラムの洗浄溶液の吸収能を有し得る。
【０１３６】
任意選択的な上側、すなわち上向きの層は、バックシート１８であり、吸収された流体の損失を最小限に抑え、用具３０なしで洗浄パッド１０が使用される場合に使用者の手を保護するために液体不透過性であってもよい。上側層は、洗浄パッド１０の洗浄用具３０への取り外し可能な取り付けを更に提供し得る。上側層は、ＬＤＰＥなどのポリオレフィンフィルム製であってよい。好適なバックシート１８は、１０〜３０ｇｓｍの坪量を有するＰＥ／ＰＰフィルムを含む。
【０１３７】
バックシート１８に取り付けられるのは、１つ以上の任意選択的な取り付けストリップ２０であり得る。取り付けストリップ２０は、接着剤、好ましくは感圧性接着剤を含み得るか、又は用具３０上の補完的なフックへの取り外し可能な取り付けのためのループであり得る。好適なループ取り付けストリップ２０は、ＰＥフィルムの積層体及びナイロンループを含み得る。
【０１３８】
バックシート１８及びフロアシート１４は、当該技術分野において既知のように、周辺を接合されてもよい。この配置は、コア１６をしっかりと保持するためのポケットを作る。コア１６は、フロアシート１４及びバックシート１８のそれぞれの内向き表面と並置され、かつ任意選択的に接合されてもよい。
【０１３９】
コア１６は、単一層又は２つ以上の層を備え得る。複数の層がコア１６用に選択される場合、示されるように、フロアシート１４が近づくにつれて、層の幅が減少し得る。コア１６は、Ｇｌａｔｆｅｌｔｅｒ（Ｙｏｒｋ，ＰＡ）から入手可能なエアレイドセルロース及び任意選択的なポリマー繊維を含み得る。２つのエアレイドセルロースのコア１６の層が選択される場合、コア１６の各層は、少なくとも約７５、１００、１２５、１５０、１７５、２００、又は２２５ｇｓｍ、且つ約３００ｇｓｍ未満の坪量を有し得る。
【０１４０】
好ましくは、コア１６の各層は、ＡＧＭ  １６Ａを含む。ＡＧＭ  １６Ａは、その自重の少なくとも１０、１５、又は２０倍を吸収し得る。ＡＧＭ  １６Ａは、当該技術分野において既知のように、製造中にエアレイドコア１６の層に吹き込まれてもよい。好適なＡＧＭ  １６Ａは、Ｅｖｏｎｉｋ（Ｅｓｓｅｎ，Ｇｅｒｍａｎｙ）からＺ３０７０Ｇとして入手可能である。ＡＧＭ  １６Ａの勾配分布を含有するエアレイド材料は、Ｇｌａｔｆｅｌｔｅｒ（Ｙｏｒｋ，ＰＡ）から入手可能である。
【０１４１】
ＡＧＭ  １６Ａの勾配分布は、２つ以上の形成ヘッドを使用することによって達成され得る。例えば、エアフェルト／ＡＧＭ  １６Ａの線は、３つの形成ヘッドを有し得る。第１のヘッドは、分散しているセルロースに対して比較的大量のＡＧＭ  １６Ａをそのヘッドから分配してもよい。この混合物が第１のＡＧＭ  １６Ａ／セルロース基材の上側に置かれた状態で、第２の形成ヘッドは、セルロース基材に対して少量のＡＧＭ  １６Ａを分配してもよい。このパターンは、必要に応じて多くの形成ヘッドを使用して繰り返されてもよい。所望であれば、最終形成ヘッドは、純粋なセルロースを分配し、ＡＧＭ  １６Ａを分配しなくてもよい。一般に、各形成ヘッドからの層は、隣接する層と混合しない。接着剤結合及び／又は熱接着は、重なり合った層を定位置に保持し、構造的な剛性を提供し得る。
【０１４２】
好適なコア１６の層、並びにＡＧＭ  １６Ａの勾配分配を有する、１つ以上のコア１６の層を作製するための好適な装置及びプロセスは、２０１３年１２月１０日発行の米国特許第８６０３６２２号に見出される。８６０３６２２の教示は、好適なコア１６の層について教示として、段落５、第８〜第１４行、並びに本発明のコア１６の層を作製するために好適なデバイスの製造についての教示として、段落１６、第４１行〜段落１７、第５９行での考察と共に図３〜４への参照により本明細書に援用される。
【０１４３】
２つのエアレイドセルロースコア１６の層が選択される場合、フロアシート１４と並置されている下部コア層１６Ｌは、約１０〜２０重量パーセントのＡＧＭ  １６Ａを含み得、約１５パーセントが好適であると見出されている。任意選択的なバックシート１８と並置されている上部コア層１６Ｕは、約２０〜約３０重量パーセントのＡＧＭ  １６Ａを含み得、約２５パーセントが好適であると見出されている。全ての層を考慮したコア１６の全体は、５〜５０重量％、又は１０〜４５重量％のＡＧＭ  １６Ａを含み得、ＡＧＭ  １６Ａの量及び勾配分布は、本発明に役立つと見出されている。本明細書に記載及び特許請求されるＡＧＭ  １６Ａのパーセントは、フロアシート１４、バックシート１８、平滑化ストリップ１２、又は取り付けストリップ２０を考慮せず、その特定のコア１６の層（１６Ｕ又は１６Ｌ）におけるＡＧＭ  １６Ａの重量パーセントを指す。
【０１４４】
各コア層１６Ｌ、１６Ｕ、及び特に上部コア層１６Ｕは、より大きな吸収性の利点を提供するように更に階層を形成されてもよい。上部コア層１６Ｕは、形成される際に３つの階層を有してもよい。階層は、０、２５、及び５０重量パーセントを構成してもよく、存在する場合、バックシート１８が近づくにつれて単調に増加し、勾配分配を提供する。
【０１４５】
一般に、上部コア層１６Ｕは、下部コア層１６Ｌよりも絶対基準及び重量パーセント基準の両方に基づいて、より多くのＡＧＭ  １６Ａを含むことが望ましい。この配置は、下部コア層１６Ｌ内のゲルをブロッキングすることによって、標的表面からの液体の完全な吸収を妨げず、液体がフロアシート１４から上方に且つフロアシートから離れて輸送されるという利点を提供する。
【０１４６】
より多くのＡＧＭ  １６Ａを、好ましくは絶対基準に基づいて、又は任意選択的に重量パーセント基準に基づいて提供する、任意の配置が好適である。あるいは、コア１６の層又は単一コア１６の層のいずれかは、Ｚ方向にＡＧＭ  １６Ａの濃度が増加していてもよい。
【０１４７】
当該技術分野において既知であるような任意のかかるプロセス、又はバックシート１８に近づくにつれてＺ方向にＡＧＭ  １６Ａが増加していることを提供する配置は、本明細書ではＡＧＭ  １６Ａ勾配と見なされる。ＡＧＭ  １６Ａの勾配はゆるやかであってもよく、１つ以上の段階的な増加又はこれらの任意の組み合わせを含み得ることが認識されるべきである。
【０１４８】
フロアシート１４は、約２０〜約８０ｇｓｍ、特に約２８〜６０ｇｓｍの坪量を有する別個の開口不織布を含み得る。フロアシート１４は、疎水性であってもよく、合成繊維で作製されてもよい。好適なフロアシート１４は、Ｆｉｔｓｅａ（Ｓｉｍｐｓｏｎｖｉｌｌｅ，ＳＣ）からＳｏｆＳｐａｎとして入手可能な、６０ｇｓｍのＰＥ／ＰＰの、個別の開口スパンボンド不織布である。フロアシート１４は、水と１０１〜１８０度の接触角を有し得る。
【０１４９】
フロアシート１４は、平滑化ストリップ１２を備え得る。平滑化ストリップ１２は、フロアシート１４よりも狭い幅を有してもよく、フロアシート１４の幅の少なくとも約１０、２０、３０、４０、５０、６０、又は７０％を構成し得る。平滑化ストリップ１２は、少なくとも１０、２０、３０、４０、５０、１００、１５０、２００、２５０ｍｍ且つ７０、８０、１００、２００又は３００ｍｍ未満の幅を有し得、２４〜４４ｍｍの幅が好適であり、３４ｍｍの幅が好ましい。
【０１５０】
平滑化ストリップ１２は、親水性であってもよい。本明細書で使用される場合、親水性とは、本明細書に記載の試験方法によって測定されるとき、０〜１００度の接触角を有することを意味する。平滑化ストリップ１２は、特に３０〜１００度、より具体的には５５〜９０度の接触角を有し得る。平滑化ストリップ１２は、親水性であるために少なくとも５０％のセルロース含有量で構成され得る。
【０１５１】
より具体的には、好適な平滑化ストリップ１２は、セルロース繊維及び合成繊維の積層体を備え得る。かかる積層体は、本明細書に記載の洗浄パッド１０の性能を達成するのに役立つと考えられる。セルロース繊維積層体は、床に摩擦及び吸収性を提供するために、外向きであってもよい。合成繊維層は、使用中に完全性を提供するために、フロアシート１４と接触する関係で位置してもよい。
【０１５２】
４０ｇｓｍのＧｅｎｅｓｉｓ  ｔｉｓｓｕｅとしてＳｕｏｍｉｎｅｎ（Ｈｅｌｓｉｎｋｉ，Ｆｉｎｌａｎｄ）によって販売されている、２３ｇｓｍの薄葉紙及び１７ｇｓｍの水流交絡ポリプロピレンスパンボンドが、好適な平滑化ストリップ１２となると見出されている。別の好適な平滑化ストリップ１２は、４５ｇｓｍのＨｙｄｒａｔｅｘｔｕｒｅ  ｔｉｓｓｕｅとしてＳｕｏｍｉｎｅｎによって販売されている、２８ｇｓｍの薄葉紙及び１７ｇｓｍの水流交絡ポリプロピレンスパンボンドを含み得る。
【０１５３】
平滑化ストリップ１２は、０．５ｍｍ未満、０．４ｍｍ又は０．３ｍｍ未満、更には本質的に０ｍｍの表面テクスチャを有してもよい。表面テクスチャは、平滑化ストリップ１２の厚さとは無関係に、ピークから谷までの距離として測定される。０．５ｍｍ未満の表面テクスチャは、洗浄中、特に床が乾燥しているとき、より具体的には暗色の床が乾燥しているときの、筋形成を最小限にすると考えられる。
【０１５４】
ワイプ
洗浄パッドは、洗浄ワイプの形態であってもよい。洗浄ワイプは、洗浄組成物と共に使用するための、予め湿らせた洗浄ワイプ又は乾燥ワイプとして使用され得る。
【０１５５】
洗浄ワイプを予め湿らせている場合、更に詳細に前述のように、床などの標的表面の洗浄を提供するが、洗浄後のすすぎ作業を必要としない洗浄組成物で予め湿らされている。
【０１５６】
この洗浄組成物と共に使用される洗浄ワイプは、天然繊維又は合成繊維を含み得る。洗浄ワイプが、上述の洗浄組成物を保持し、要求に応じてしぼり出すように概して吸収性であるならば、繊維は、親水性、疎水性又はこれらの組み合わせであってもよい。一実施形態において、洗浄ワイプは、少なくとも５０重量パーセント、又は少なくとも７０重量パーセントの、エアレイドＳＳＫ繊維などのセルロース繊維を含み得る。所望であれば、洗浄ワイプは、摺洗、液体貯蔵、及び洗浄作業のための他の特定の務めを提供するための、複数の層を備え得る。
【０１５７】
洗浄ワイプは、約１ｍｍ〜約５ｍｍ、より好ましくは約１．５ｍｍ〜約３．０ｍｍ、最も好ましくは約１．２ｍｍの厚さを有し得る。
【０１５８】
洗浄ワイプは、上述のように、乾燥基材１グラム当たり少なくとも１、１．５、又は２グラム、典型的には、１グラム当たり５グラム以下の洗浄組成物で充填され得る。
【０１５９】
任意選択的に、洗浄ワイプは、摺洗ストリップを更に備え得る。摺洗ストリップは、標的表面のより強力な洗浄を提供する、洗浄ワイプの一部分である。好適な摺洗ストリップは、ＬＤＰＥなどのポリオレフィンフィルムを含んでもよく、外向きに延在する穿孔などを有してもよい。摺洗ストリップは、本願と同一譲受人に譲渡された米国特許第８，２５０，７００号、同第８，４０７，８４８号、Ｄ５５１，４０９Ｓ、及び／又はＤ６１４，４０８Ｓに従って作製及び使用され得る。好適な予め湿らせた洗浄ワイプは、本願と同一譲受人に譲渡された米国特許第６，７１６，８０５号、Ｄ６１４，４０８、Ｄ６２９，２１１、及び／又はＤ６５２，６３３の教示に従って作製され得る。
【０１６０】
洗浄用具
洗浄パッド１０及び洗浄組成物は、手によって、又は洗浄用具３０と共に使用され得る。図３を参照すると、洗浄用具３０は、洗浄パッド１０を保持するためのプラスチックヘッド３２と、それに接続される細長ハンドル３４と、を備え得る。ハンドル３４は、金属若しくはプラスチックの、管又は中実の棒を備え得る。
【０１６１】
ヘッド３２は、洗浄パッド１０が取り付けられ得る、下向き面を有し得る。下向き面は、概ね平坦か、又は若干凸状であってもよい。ヘッド３２は、上向き面を更に有し得る。上向き面は、細長ハンドル３４のヘッド３２への接続を容易にする自在継手を有し得る。
【０１６２】
フック・ループ式システムを使用して、洗浄パッド１０をヘッドの底部に直接取り付けてもよい。あるいは、上向き面は、洗浄パッド１０を用具３０に取り外し可能に取り付けるために、弾性把持部などの機構を更に備え得る。把持部を洗浄用具３０と共に使用する場合、把持部は、本願と同一譲渡人に譲渡された米国特許第６，３０５，０４６号、同第６，４８４，３４６号、同第６，６５１，２９０号、及び／又はＤ４８７，１７３に従って作製され得る。
【０１６３】
洗浄用具は、更に詳細に上述の洗浄組成物を貯蔵するための容器を更に備え得る。容器は、洗浄組成物が枯渇すると取り替えられてもよく、及び／又は、所望のように再充填されてもよい。容器は、ヘッド又は洗浄用具のハンドル上に配置されてもよいか、又は容器は、洗浄用具とは分離されていてもよい。容器のネックは、本願と同一譲渡人に譲渡された米国特許第６，３９０，３３５号のようにオフセットされていてもよい。容器は、スプレーボトルの形態であってもよい。
【０１６４】
洗浄用具３０は、洗浄溶液を容器から床などの標的表面上に分配するための、ポンプを更に備え得る。ポンプは電池式であってよく、又は、線間電圧で作動させてもよい。あるいは、洗浄溶液を重力流によって分配させてもよい。洗浄溶液を、１つ又は２つ以上のノズルを通って噴霧し、洗浄溶液を標的表面に効率的なパターンで分配させてよい。
【０１６５】
交換可能な容器を用いる場合、洗浄溶液の重力流をもたらすため、交換可能な容器を転倒させてよい。若しくは、洗浄溶液を分配ノズルにポンプ送りしてよい。容器は、ボトルであってもよく、ポリオレフィンなどのプラスチックで作製されていてもよい。洗浄用具３０は、ボトル又は他の容器を取り外し可能に受容するスリーブ（３６）を有し得る。洗浄用具３０は、任意選択的にボトルから洗浄溶液を受容するためのスリーブ（３６）に配置されている、ニードルを有し得る。ボトルは、ニードルが貫通可能なニードルを補完する膜を有し得、これは、交換可能な容器の挿入及び取り外し中の洗浄溶液の好ましくない液だれを防ぐために再度封止される。あるいは又は追加的に、所望であれば、用具３０はまた、洗浄パッド１０及び／又は床若しくは他の標的表面に送達される蒸気を提供してもよい。
【０１６６】
洗浄溶液の好適な容器及びそのための嵌合具は、本願と同一譲受人に譲渡された米国特許第６，３８６，３９２号、同第７，１７２，０９９号、Ｄ３８８，７０５、Ｄ４８４，８０４、Ｄ４８５，１７８の教示に従って作製され得る。好適な洗浄用具３０は、本願と同一譲受人に譲渡された米国特許第５，８８８，００６号、同第５，９６０，５０８号、同第５，９８８，９２０号、同第６，０４５，６２２号、同第６，１０１，６６１号、同第６，１４２，７５０号、同第６，５７９，０２３号、同第６，６０１，２６１号、同第６，７２２，８０６号、同第６，７６６，５５２号、Ｄ４７７，７０１、及び／又はＤ４８７，１７４の教示に従って作製され得る。蒸気用具３０は、共に譲渡された２０１３／０３１９４６３の教示に従って作製され得る。
【０１６７】
表面を洗浄する方法
洗浄パッド、洗浄ワイプ、並びに洗浄パッド及び洗浄ワイプを使用する洗浄用具は、硬質表面を洗浄するために、３０°よりも大きい前進接触を有する液体硬質表面洗浄組成物と共に使用され得る。
【０１６８】
好ましくは、洗浄パッド、洗浄ワイプ、並びに洗浄パッド及び洗浄ワイプを使用する洗浄用具は、約０．００１重量％〜約０．０１５重量％の本開示のエトキシル化アルコキシ化非イオン性表面又はコポリマーを有する液体硬質表面洗浄組成物と共に使用され得、少なくとも約９３重量％の水が家庭用表面を洗浄するのに好適である。
【０１６９】
より好ましくは、液体硬質表面洗浄組成物は、１．２ｍｍ未満の厚さを有するフロアシートを有する洗浄パッド、又は１．２ｍｍ未満の厚さを有する洗浄ワイプと共に使用される。洗浄組成物と洗浄パッド又は洗浄ワイプとのかかる組み合わせは、改善された光沢、増加した吸収性、及びより迅速な乾燥を提供する。
【０１７０】
一般的な洗浄、特に床の洗浄として、好ましい洗浄方法は、
硬質表面を洗浄組成物で湿潤する工程と、本開示の洗浄パッド又は洗浄ワイプを用いて、硬質表面を拭くことによって硬質表面から洗浄組成物を除去する工程と、を含む。硬質表面を湿潤する工程は、硬質表面に液体硬質表面洗浄組成物を噴霧すること、又は硬質表面を予め湿らせたワイプ又は洗浄パッドと接触させて硬質表面を湿潤することを含み得る。予め湿らせた又は乾燥した洗浄パッド又は洗浄ワイプを備える洗浄用具を使用して、硬質表面を湿潤する及び／又は硬質表面から洗浄組成物を除去してもよい。
【０１７１】
試験方法：
Ａ）床洗浄のための光沢試験
光沢試験は、油、微粒子、ペットの毛、糖などの消費者に関連する汚れの混合物からなる汚れ混合物を用いて行う。工学的に作り出された暗色の堅木床材を汚れ混合物で汚し、液体硬質表面洗浄組成物（複数可）を用いて洗浄し、床材全体を網羅するように洗浄パッドで合計６回上下に拭き、乾燥させた後、以下に記載の等級尺度を使用することによって結果を分析する。
【０１７２】
【表１】
2019531386.tif 000011
【０１７３】
Ｂ）前進接触角
接触角ゴニオメータを使用して、流体の前進接触角を測定する。以下本明細書に記載の方法は、ＡＳＴＭ  Ｄ５９４６−０９に由来する。
【０１７４】
接触角を測定するための装置は、（１）ディスペンサの先端から、指定されるように、滴を直接懸垂可能な液体ディスペンサと、（２）意図しないしわ又は歪みがなく試料を平坦に置くことを可能にし、測定される表面が水平であるように試料を保持する試料ホルダと、（３）試験表面上への液滴移送を達成するような制御された様式で、試料と懸垂する液滴とを互いに向かいに提供することと、（４）最小限の歪みで滴のプロファイル画像を捕捉するための手段と、を有する。視線が水平から５度上昇し、滴のベースラインが、試料と接触しているときに鮮明に目視可能なように、５度見下ろす角を使用する。装置は、試料上の滴の寸法及び位置の画像解析などの、直接的な角度測定のための手段を有する。Ｆｉｒｓｔ  Ｔｅｎ  Ａｎｇｓｔｒｏｍｓ（Ｐｏｒｔｓｍｏｕｔｈ，ＶＡ）によって製造されたＦＴÅ２００動的接触角ビデオシステム分析器が好適であると見出されている。Ｆｉｒｓｔ  Ｔｅｎ  Ａｎｇｓｔｒｏｍｓ（Ｂｕｉｌｄ  ３６２、Ｖｅｒｓｉｏｎ  ２．１）によって供給されるＦＴÅソフトウェアが好適であると見出されている。鮮明な画像がソフトウェアによって解析可能であるように照明を調整して、ユーザ入力なしにベースライン及び液滴輪郭を抽出する。
【０１７５】
試験液は、清潔な器物内に保持されるものとする。
【０１７６】
この試験に使用する基材は、酸化アルミニウムポリウレタンコーティングを備えた、工学的に作り出した、連結して実継ぎに板を張った堅木の床である。床は、脱イオン水で測定された１００度＋／−１５度の接触角を有し、８５＋／−５の光沢単位で６０度の光沢指数を有する。Ｈｏｍｅ  Ｌｅｇｅｎｄ  Ｓａｎｔｏｓ  Ｍａｈｏｇａｎｙの工学的に作り出した堅木の床、ＵＰＣ  ６６４６４６３０１４７３が好適であると見出されている。試験試料の（すなわち、フロアシート又は平滑化ストリップ）面積は、試験される試料の縁部への試験滴の広がり、又は滴の互いとの接触を防止するのに十分である。試験表面は、指による汚染を回避するために、準備又は試験中に直接触れない。床材料の光沢表面を、任意の試験で使用する前に、８０／２０の脱イオン水／イソプロピルアルコール溶液を使用して注意深く洗浄する。
【０１７７】
実験室の温度及び湿度は、２５℃±２℃の温度及び４０±５％の湿度に制御されなければならない。測定プロセス中に温度及び湿度を記録する。
【０１７８】
木製床材基材は、確実に基材が平坦に置かれ、その光沢表面が試験流体の液滴に向かって上に面するように、器具の試料片ホルダ上に置く。６．５＋／−１．５μＬの試験流体の単一の液滴を、２７ゲージの注射針の端部に懸垂させる。取り付けた基材試料が懸垂している滴に触れるまで、上に持ち上げる。基材表面上に液滴を滴下又は噴出するべきではない。表面から少なくとも０．５ｍｍになるまで、滴の中に針を下げる。少なくとも２０枚の画像／秒の速度で滴のプロファイル画像を収集する。試験流体が滴に１０μＬ添加されるまで、１μＬ／秒の速度でゆっくりと圧送する。これが、試験の前進接触角部分である。１５秒待機した後、１０μＬが除去されるまで、−１μＬ／秒で試料の表面上の液滴から試験流体をゆっくりと除去するために、注射器内の流体流の方向を反転させる。これが、測定の後退接触角部分である。好ましくは任意の先行の測定から少なくとも２５ｍｍ離して、基材の清潔で乱れのない領域上に次の試験流体の液滴を置くために、床材基材を移動する。同じ試験流体を使用して基材試料上で、試験の前進部分からの合計５つの接触角測定値を取る。
【０１７９】
前進接触角は、試験流体が針を介した添加によって表面に圧送される際に、滴の直径が膨張した直後のビデオから抽出する。滴は、表面全体を滑動し得る。この滑動部分の間の平均値は、滴の直径が膨張する限り、事実上前進接触角と同等である。試験流体は、直径が増加するまで、１μＬ／秒で滴に添加しなければならない。直径の膨張直後に、接触角を前進接触角として得る。
【０１８０】
試験流体の前進接触角は、５つの測定値の平均前進接触角として報告する。
【０１８１】
少なくとも１０超、より好ましくは少なくとも２０超、最も好ましくは少なくとも３０超である前進接触角は、消費者には許容可能である。
【０１８２】
Ｃ）ｐＨ測定：
ｐＨは、取扱説明書に従って較正したゲル充填プローブ（Ｔｏｌｅｄｏプローブ、部品番号５２  ０００  １００など）を備えたＳａｒｔａｒｉｕｓ  ＰＴ−１０Ｐ  ｐＨメータを使用して、２５℃で、未希釈組成物に対して測定する。
【０１８３】
Ｄ）フロアシート又は湿潤ワイプの厚さ試験方法：
不織布試験片又は吸収性物品の乾燥キャリパ（厚さ）は、試験片を平坦に置くことができる十分な大きさのアンビルを備えた、１００ｍｍ×１００ｍｍ四方の直径の脚部を取り付けた、脚部より少なくとも５０％大きな、較正済みの直線キャリパ（例えば、Ｏｎｏ  Ｓｏｋｋｉ  ＧＳ−５０３又は同等品）を使用して測定する。脚部によって、試験片に対して、０．０４ｋＰａの封圧を印加する。製造者の取扱説明書に従ってキャリパを較正する。アンビルに対してキャリパ脚部のゼロ点合わせを行う。脚部を上げて、試験片をアンビルに対して平坦に挿入し、脚部を約１５ｍｍ／秒で試験片に向かって下げる。試験片上に脚部を置いた５．０秒後にキャリパー（ｍｍ）を読み、０．０１ｍｍ単位で記録する。同様の様式で、合計５個の試験片に繰り返し、０．００１インチ単位で記録する。１インチ＝２５．４ｍｍを使用してインチからミリメートルに変換する。５回の反復の相加平均を計算し、０．０１ｍｍ単位で報告する。
【０１８４】
Ｅ）乾燥時間
乾燥試験方法は、堅木の床板、例えばＨｏｍｅ  Ｌｅｇｅｎｄ  Ｓａｎｔｏｓ  Ｍａｈｏｇａｎｙの工学的に作り出した堅木材、ＵＰＣ  ６６４６４６３０１４７３から作製した、１４インチ×１８インチの平坦な面上で実施した。板を、７０°Ｆ及び相対湿度４５％に設定した温度制御／湿度制御（ＣＴＣＨ）した室内の卓上に置いた。試験床を、５０インチ×２０インチ×１７インチの寸法を有する３辺のプレキシグラスカバーで覆って、気流の影響を低減した。板を剥離溶液で洗浄して、製造、輸送、又は貯蔵中に付着した任意の蓄積した物質を除去した。剥離溶液は、８０％イソプロピルアルコールと水との混合物であった。試験前に、板を１５分間乾燥させた。別個の組の板上に、洗浄用具上に置いた吸収パッドを、試験溶液を用いて下準備した。７．２ｇの試験溶液を送達することによって、試験溶液を別個の組の板に噴霧し、左から右に上下１２ストローク（７０ストローク／分）、続いて右から左に上下１２ストロークを使用してモップ掛けして、吸収パッドを試験溶液で飽和させた。パッドを下準備した後、下準備した吸収パッドを、プレキシグラスカバーに適合するようハンドルを短縮して変更した洗浄用具に取り付けた。次いで、３ｇの試験溶液を卓上試験床の中央に塗布し、次いで、用具に取り付けられた下準備したパッドを卓上試験床の中央に直ちに置いた。次いで、床の上縁部から滑らせながらモップ掛けして、試験床を底部から上側へ、及び逆（１回上１回下）にモップ掛けして、乾燥時間結果に影響を及ぼし得る「湿潤スポット」を回避した。床が乾燥するのに、又は任意の湿潤スポットが視覚的になくなるまでどのくらいかかるのかを視覚的に評価することによって、タイマーを使用して乾燥時間を決定した。下準備及びモップ掛け工程を、異なる吸収パッドで１５回繰り返し、結果を平均して平均乾燥時間を決定した。７．０分未満の乾燥時間が消費者には好ましい。
【実施例】
【０１８５】
【表２】
2019531386.tif 000012
【０１８６】
【表３】
2019531386.tif 000013
【０１８７】
【表４】
2019531386.tif 000014
【０１８８】
本明細書で開示する寸法及び値は、列挙された正確な数値に厳密に限られるとして理解されるべきではない。その代わりに、別段の定めがない限り、このような寸法はそれぞれ、列挙された値とその値を囲む機能的に同等な範囲との両方を意味することが意図されている。例えば、「４０ｍｍ」として開示される寸法は、「約４０ｍｍ」を意味するものとする。
【０１８９】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いかなる文献の引用も、本明細書中で開示又は特許請求されるあらゆる発明に対する先行技術であるとはみなされず、あるいはそれを単独で又は他の任意の参考文献と組み合わせたときに、そのようなあらゆる発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１９０】
本開示の特定の実施形態について例示し記載したが、本発明の趣旨及び範囲から逸脱することなく他の様々な変更及び修正が可能であることは当業者には明白であろう。したがって、本発明の範囲内に含まれるそのような全ての変更及び修正は、添付の特許請求の範囲にて網羅することを意図する。
【図１Ａ】
2019531386.tif 000019
【図１Ｂ】
2019531386.tif 000020
【図２】
2019531386.tif 000021
【図３】
2019531386.tif 000022
【国際調査報告】
2019531386.tif 000023
2019531386.tif 000024
2019531386.tif 000025